(57)【特許請求の範囲】
【請求項１】
使い捨てコンタクトレンズパッケージであって、
該パッケージ内に収納されるソフトコンタクトレンズと、
該パッケージ内に収納されるスプリングディスクと、
該パッケージ内に該レンズと該スプリングディスクとを密封する第１シートであって、
該ソフトコンタクトレンズ及び該スプリングディスクを、該パッケージ内で押圧状態に保持し、当該第１シートが剥がされて該パッケージが開かれたときに、該ソフトコンタクトレンズ及びスプリングディスクが押圧されていない平衡状態に戻るようにする第１シートと
を有するコンタクトレンズパッケージ。
【請求項２】
当該使い捨てコンタクトレンズパッケージが、
第２シートと
該スプリングディスクと該ソフトコンタクトレンズとを取り囲み、該第１シートと該第２シートとを、該第１シートが該第２シートから引き剥がし可能となるように、互いを密封係合するピールシールと
を有し、
該スプリングディスクが該第２シート上に置かれ、該ソフトコンタクトレンズが該スプリングディスクと該第１シートの間に配置されてなる請求項１に記載の使い捨てコンタクトレンズパッケージ。
【請求項３】
該第１シートと該第２シートのうち少なくとも一方がラミネートである請求項２に記載の使い捨てコンタクトレンズパッケージ。
【請求項４】
該第１シートと該第２シートのうち少なくとも一方が、ポリエチレンテレフタレート、ポリプロピレン、アルミニウムを含む中から選定される１つ以上の材料を有する請求項２に記載のパッケージ。
【請求項５】
該スプリングディスクが、該第２シートに固着されてなる請求項２乃至４のいずれかに記載の使い捨てコンタクトレンズパッケージ。
【請求項６】
該ソフトコンタクトレンズを含水状態に保つ水溶液を収納する請求項１乃至５のいずれかに記載の使い捨てコンタクトレンズパッケージ。
【請求項７】
該スプリングディスクが
環状の部分と、
該環状の部分から半径方向中心に向けて延び、押圧状態で保持され、当該パッケージが開かれたときに、押圧されない立ち上り状態に戻りレンズを持ち上げる少なくとも１つのリーフバネと、
を有する請求項１乃至６のいずれかに記載の使い捨てコンタクトレンズパッケージ。
【請求項８】
該スプリングディスクが、ポリオレフィン、シリコーン、ポリアミド、ポリウレタンを含む中から選定される少なくとも１つの材料で作られる請求項１乃至７のいずれかに記載の使い捨てコンタクトレンズパッケージ。
【請求項９】
当該使い捨てコンタクトレンズパッケージが不透明とされていることを特徴とする請求項１乃至８のいずれかに記載の使い捨てコンタクトレンズパッケージ。
【発明の詳細な説明】
【技術分野】
【０００１】
本発明は、コンタクトレンズの包装容器、特に、無菌性および環境問題上考慮が必要となる廃棄性を含むレンズの包装容器の基準を充たす経済的に改良された形式のコンタクトレンズ用パッケージに関する。本発明の他の側面は、レンズを一定の向きに配置し提供する方法と、パッケージからレンズを取り外す方法とを供するパッケージと、改良された分配、旅行の際の適合性及び／又は分配のために構成されたパッケージとに関する。
【背景技術】
【０００２】
使い捨てソフトコンタクトレンズは、通常、使い捨てパッケージに収容されている。包装容器はレンズに係る全体の費用を上昇させるので、包装容器に不可欠な基準を損なうことなくできるだけ経済的なものにしなければならない。これまでの使い捨てレンズ（２週間タイプと１日タイプ）用ブリスターパッケージ（図１−図３）は、ポリエチレン、アルミニウム、接着剤およびポリプロピレンの複数層フィルムで覆われたポリプロピレン製レンズ用容器（以下“ボート”とする）から構成される。ボートは通常、射出成形プラスチックであり、高い剛性とわずかな弾性可撓性を有し、予備成形された凹部を含む。ボートは保存に適した溶液、好ましくは食塩水で充たされ、レンズ１枚をその中に保存する。ブリスターパックは蒸気を使用し加圧処理され最終的に滅菌される。これらブリスターパックは、個々のパックを箱に入れるか（図４、図５）、若しくは複数をストリップに連ねた状態として患者に与えられる。
【０００３】
販売する上での目的は、滅菌性と安定性の両方の法定上の要件を充たしレンズを安全且つ簡単に取り出すことができ、見た目の美しいパッケージでコンタクトレンズを患者に与えることである。包装容器は一度だけしか使用されず、レンズを取り出した後は捨てられる。このことは、レンズとパッケージを合わせた費用に大きく影響する。患者にとってレンズに係る全体の価格を抑えるために、包装容器に係る費用を最低値に抑えなければならない。更に、レンズパッケージの廃棄性は環境保護基準に適合する必要がある。
【０００４】
コンタクトレンズはパッケージの中で、含水状態に保たれなければならない。パッケージは十分に密封されなくてはならず、また、保存期間を極限まで延ばすよう、ボートやラミネート層を通しての水分の透過を最低限に抑え、パッケージ内に収容されたレンズが乾燥するのを防がなければならない。使用する場合は、ラミネート材料を“ボート”に形成されたフランジから剥ぐことで取り除き、保存液に浸されたレンズを現出させる。
【０００５】
様々な種類のコンタクトレンズパッケージ、特に予備成形ブリスターパックを含む使い捨てコンタクトレンズパッケージが従来技術で知られている。従来技術が典型的に示すところでは、コンタクトレンズ業界の通念は、荷重によるレンズのダメージを防ぐために予備成形の硬性のパッケージを規定してきた。代表的な公知のブリスターパッケージの例は、米国特許第５７０４４６８号、米国特許第４３９２５６９号、米国特許第５６２００８８号、米国特許第４６９１８２０号、米国特許第５８２３３２７号、米国特許第５８５３０８５号、欧州特許公開ＥＰ１０９２６４５Ａ１、欧州特許公開ＥＰ１０９２６４５に開示されている。多くのブリスターパッケージに関する問題は、ブリスターからフィルム層を剥がすのに必要とされる力に高いピークがあり、その後に、密閉部の主要部分を開くのに必要とされる力の量の急激な減少が続くことである。これは結果として、ブリスターを開くのに滑らかでない動きとなり内容物をこぼしてしまうことになりかねない。
【０００６】
柔軟なレトルトパッケージは、コンタクトレンズでの使用以外で知られている。そのようなパッケージの１つが米国特許第４７６９２６１号に開示されている。この特許では、ABAフィルム構造から構成される大きなサイズのレトルト袋において使用される密封層について開示しており、A層はそれぞれ少量のエラストマーと多量のポリオレフィンの混合物から成り、B層は多量のエラストマーと少量のポリオレフィンの混合物から成る。レトルト袋は、密封層が衝撃に対する向上した強度を示すのでABAフィルム構造で作られる。特許第４７６９２６１号においては、コンタクトレンズの収容にレトルトパッケージを使用することは説かれていない。
【発明の開示】
【発明が解決しようとする課題】
【０００７】
欧州特許公開ＥＰ０１２９３８８には、コンタクトレンズと水和溶液とを収容するために光学的に透明な一枚のフィルムを互いに密封係合することで形成された小袋が記述されている。しかしながら、この教えるところは、容器を開けること無しに光学的測定を行うことが出来るようにコンタクトレンズを自然な状態に維持することを目的としている。この教えるところの別の側面では、小袋は、その内部にホルダー即ち支持物が備わっており、レンズを、湾曲の裏面の放射状部が光学的測定されるように固定するようにしている。従って欧州特許公開ＥＰ０１２９３８８が、コンタクトレンズを平衡状態すなわち自然な状態で維持することを目的としていることは明らかである。
【０００８】
同様に、特開平６−２５８６０３は、コンタクトレンズ収容用の樹脂フィルムパックを説明している。そのパッケージは、適した樹脂材料により、４辺の内3辺を密閉し、コンタクトレンズと保存用溶液を入れるのに4番目の辺を密封せずに残して形成される。ひとたびレンズと溶液がパッケージ内に置かれると、その４番目の辺は、熱処理加工により密閉される。この教えるところには、パッケージの開封手段は講じられていない。コンタクトレンズはその開口端部より形成前のパッケージ内に配置されるために、コンタクトレンズが使用者の便利な向きとなるようにする手段は講じられていない。
【０００９】
従って、先行技術のコンタクトレンズパッケージには、以下の点を含むいくつかの不利な点がある。
1.  パッケージは、2種類の材料を使用し、そのうちの１種類は予備成形されるもので製造に係る費用を上昇させているため、毎日の使い捨てパッケージとしては比較的高価である。消費者はレンズに係る費用を上昇させる原因となるパッケージには抵抗を示す。これは毎日の使い捨ての市場の成長と市場競争にとって大きな問題となるであろう。
【００１０】
2.  従来技術のパッケージは、伝統的に２つの全く異なる材料から製造される。1つはレンズを収容するボートに使用され、もう１つはカバーに使用される。これは滅菌性の低下というリスクを伴う密封の問題となる可能性がある。時間の経過と共に、密封が粗末なブリスターパックは内容物の水分の蒸発と、パックを役に立たないものとする可能性がある。欠陥の補正は、潜在的欠陥のある商品のリコールを伴うであろうし、製造業者にとっては財政上も、商品の品質に対する世評という点でも潜在的に高価なものとなる。
【００１１】
3.  良好で無い、すなわち、不完全なパッケージの密封による滅菌されていないレンズは、患者の目に感染症を引き起こし、結果として眼の機能低下とこれに伴う訴訟のリスクを生じさせる可能性がある。
【００１２】
4.  包装容器のサイズはレンズ自体のサイズより数倍大きいので、使い捨てレンズの概念としては不利な点である。ポリプロピレン製ブリスターの構成部分であるため、個々のパッケージはレンズ全体としての厚みよりもより若干厚さがあり、そのため使い捨てのような外見にはならず又その形や大きさのため都合良く積み重ねることもできない。もし消費者が旅をすると、レンズはかさばるアイテムであることが分かるだろう。
【００１３】
5.  レンズの包装容器に対するこれまでの伝統的取り組みは、パッケージ内でレンズの原形を維持しようとすることにあった。この伝統的取り組みはパッケージの構造に制限を加える。
【００１４】
６.  先行技術に教示されるレトルト方式のパッケージには、更なる不利点が起こりうる。まず、レトルトパッケージを開けるのは、密閉部を剥離するのでなく、パッケージの端部を破り取ることで一般的になされる。このことは、レンズを破くというリスクを明らかに提起する。第２に、開かれたレトルトパッケージからコンタクトレンズを取り出すことは、レンズを取り出すのに指をパッケージに入れるか（これは重ねて損傷に至り得る）、容器の中身を手の中に移すかを必要とする。第３に、コンタクトレンズの配置が患者の便宜の助けとなるような、パッケージ内へのレンズの配置は講じられていない。
【００１５】
使い捨てコンタクトレンズ業界において、レンズの耐久性、滅菌性および有用性を損なうことなく経済的で無駄な空間が無く便利な使い捨てコンタクトレンズパッケージを提供することが長い間求められている。同時に、これらのニーズのうちいくつかは、国際公開番号WO０３／０１６１７５で公開されている出願人による先行出願PCT／AU０２／０１１０５にて開示されている使い捨てコンタクトレンズ用パッケージにより充たされており、ここに更なる改良が考案され開示されている。
【課題を解決するための手段】
【００１６】
本発明は、コンタクトレンズパッケージについての法定上の要件と医療上の要件を損なうことなく上記伝統的なものに取って代わるより経済的なパッケージを提供することで、上述の如き問題を改善することを試みている。
【００１７】
以下に好ましい実施例で示すように、本発明の使い捨てパッケージは従来技術のブリスターパックに比べ多くの利点を提示する。まず、この使い捨てパッケージはより小さく且つ薄く、使い捨て可能とし、旅行に携帯するのにも理想的である。次に、二次包装に収容されるパッケージの数量を増やすことが可能となり、更にその二次包装の保管スペースを小さくすることができる。使い捨てパッケージは露光を安定させ酸素の透過を防ぐホイルシートで構成し得る。更にまた、パッケージに空気を含まないのでオートクレーブ処理は不要となる。パッケージ内に空気の無い状態であることは、おそらくレンズの安定性の一因となる。従って、使い捨てパッケージ内のコンタクトレンズの保存期間は延長され得る。全般的にみて、使い捨てパッケージは包装容器としてより至便で費用効果の高い形態である。
【００１８】
従来の考えでは使い捨てコンタクトレンズパッケージは剛性を有しレンズを収容するための凹形状に予備成形される必要があるとしている。公知のパッケージの予備成形された凹部は、レンズの形状が確実に維持されパッケージによって変形されないようにすることを目的としている。本発明の幾つかの実施例に基づく好ましい使い捨てパッケージは従来の考えに反して、レンズを平衡状態に維持するのでなく、レンズを平らな状態に収容する。使い捨てパッケージのコンタクトレンズ収納空間の深さは本来のコンタクトレンズの周縁部に対する湾曲外表面の高さより浅い。更に、使い捨てパッケージは柔軟且つ予備成形されていなくともよくパッケージ内のレンズの形状に適合し得る。本発明は、使い捨てレンズパッケージは剛性を有し、負荷に対して大部分は硬く且つ弾性変形性を有さなければならないという長い間持たれていた見解に対し挑戦するものである。パッケージの剛性は、以前はレンズを保護するために必須と考えられていた。しかしながら、もし包装容器に必須の基準であるとされる周壁の剛性を必要ないものとした場合、空間を大幅に節約することができる他のコンタクトレンズパッケージが考えられ得る。
【００１９】
１つの実施例によると、本発明は、その中にコンタクトレンズを収容した使い捨てパッケージであり、そのパッケージは、コンタクトレンズが平衡状態にある場合、パッケージのコンタクトレンズ収納空間の深さは常態のコンタクトレンズ周縁部に対する湾曲外表面の高さより浅いものである。
【００２０】
別の実施例によると、本発明は、モールドされた基部とカバーとコンタクトレンズを有しつまみリスターパッケージであり、そのパッケージの上端から下端の深さはその中の常態のコンタクトレンズ周縁部に対する湾曲外表面の高さより浅いものである。
【００２１】
他の実施例によると、本発明は、コンタクトレンズをコンタクトレンズパッケージから取り出す手段である。その手段は、以下の段階を含む：スプリングディスクとコンタクトレンズを有するパッケージを人差し指に載せる；コンタクトレンズが人差し指先端に載るようにスプリングディスクの中央部を人差し指で押し分け貫通させる；人差し指に載ったコンタクトレンズを眼に装着する。
【００２２】
別の実施例によると、本発明は、使い捨てパッケージとカードの組合せであり、使い捨てパッケージは取り外し可能にカード上に付着している。
【００２３】
他の実施例は、コンタクトレンズを保持する内部空間を画定する少なくとも１枚のバリア材料と、その空間にレンズを含水状態に維持する媒体と、レンズをその空間から取り外す方法を有するコンタクトレンズを保持用の使い捨てパッケージを示しており、少なくとも１枚のバリア層は均質の柔軟な素材から形成されている。
【００２４】
別の実施例によると、コンタクトレンズを動かないよう保持することが可能な使い捨てパッケージが示されている。そのパッケージは２枚の材料シートと、そして、その２枚の材
料シートの間にサポート部材を有している。２枚の材料シートは密封されており、レンズはパッケージ内で常に定位置に維持されるように固定されている。
【００２５】
また、その中にコンタクトレンズを収容した少なくとも９０個の使い捨てパッケージを収納したカートンが考えられており、その各パッケージは、その中のコンタクトレンズ周縁部に対する湾曲外表面の高さより浅いコンタクトレンズ収納空間の深さを有する。
【００２６】
他の実施例では、本発明はその中にコンタクトレンズを収容した使い捨てパッケージであり、そのパッケージの構成は、パッケージが開かれた時にレンズが収容されたとき置かれた場所と同じ場所に常に配置されるようになされている。
【００２７】
更に別の実施例では、本発明はその中に複数のコンタクトレンズを有するコンタクトレンズパッケージ容器である。コンタクトレンズパッケージの分配は、１つのコンタクトレンズパッケージが取り出されると次のコンタクトレンズパッケージが自動的に取り出される場所に移動するようになっていることで行われる。
【００２８】
他の実施例は、その中にコンタクトレンズを備える使い捨てパッケージである。そのパッケージは、平衡状態にあるコンタクトレンズ周縁部に対する湾曲外表面の高さより浅いコンタクトレンズ収納空間の深さを有しており、互いに密封係合される２枚のシート材料を有し、その少なくとも１枚のシートには印刷がなされており、少なくとも１つの角が密封されないことで開封を容易にする角が供される。パッケージが密封されている間その中のコンタクトレンズは平らな状態で保持され、パッケージが開けられた時コンタクトレンズは常態に戻る。印刷は、使用方法や処方情報を備える集まりから選ばれる。
【００２９】
別の実施例は、コンタクトレンズをその中に収容した使い捨てパッケージである。そのパッケージは互いに密封係合される２枚の材料シートと、そのシート間にあるスプリングディスクと、水和媒体とを有する。パッケージが密封されている間、その中でレンズは平らな状態に保持される。
【００３０】
また、一群のパッケージのうちから使い捨てコンタクトレンズパッケージを取り出す手段が考えられている。その手段は、その中に複数のコンタクトレンズパッケージを収容するディスペンサーを有し、そのディスペンサーから少なくとも１枚のコンタクトレンズパッケージを取り出すことで成される。
【００３１】
更に、パッケージ内で平衡状態にあるコンタクトレンズ周縁部に対する湾曲外表面の高さより浅いコンタクトレンズ収納空間の深さを有する使い捨てコンタクトレンズパッケージの開封手段が提示されている。その手段は、分離した第１のバリア層と第２のバリア層を有する。
【００３２】
別の実施例では、本発明はその中にコンタクトレンズを保持できる使い捨てパッケージである。そのパッケージは、コンタクトレンズを保持する内部空間を画定する少なくとも第１及び第２の対向する面を形成する柔軟なパッケージ材料である少なくとも１枚のバリア層と、内部空間の水和媒体と、パッケージからコンタクトレンズを取り外す手段とを有している。少なくとも１枚のバリア層材料は平坦で可撓性のあるものである。
【００３３】
他の実施例では、その中にコンタクトレンズを保持するレトルトタイプの使い捨てパッケージのセットが提示される。そのパッケージはそれぞれ、コンタクトレンズが保持される内部空間を画定する少なくとも第１及び第２の対向する面を形成する柔軟なパッケージ材
料である少なくとも１枚の層と、レンズを含水状態に維持する内部空間の媒体とを有している。そのパッケージ材料はおおむね平面な形態をとることが可能である。そのセットは、少なくとも２つのパッケージを連結して形成されており、１つのパッケージは、パッケージ間の破断の容易な接合部分によって、対のパッケージから切り離し可能である。
【００３４】
別の実施例では、コンタクトレンズを保持する内部空間とその中でコンタクトレンズを含水状態に維持する媒体を有するレトルトタイプの使い捨てパッケージが提示される。
【００３５】
また、容器から成り、コンタクトレンズパッケージ複数を収容するための二次包装が考えられる。その中に収容されるコンタクトレンズパッケージのコンタクトレンズ収納空間の深さは、その中のコンタクトレンズの周縁部に対する湾曲外表面の高さより浅いものである。この容器の形状は、円形・長方形・正方形・三角形・楕円形・それらの対称及び非対称形、またそれらの角に丸みをもったバリエーションの中から選定される。
【００３６】
他の実施例では、本発明は、コンタクトレンズパッケージのホルダーシートであり、そこには、１つ以上のコンタクトレンズパッケージが取付けられる。
【００３７】
別の実施例では、本発明は、パッケージが凸面と向い合った凹面を有し、パッケージのコンタクトレンズ収納空間の深さが３．０ｍｍ未満である使い捨てコンタクトレンズパッケージである。
【００３８】
更に別の実施例では、本発明は、１つの容器を有する、複数の使い捨てコンタクトレンズパッケージ用の二次包装である。そこに収容される各使い捨てコンタクトレンズパッケージは、凸面と向い合った凹面を有し、使い捨てパッケージは、第１のパッケージの凸面が第２のパッケージの凸面に載せられるように積重ねられる。
【００３９】
他の実施例では、本発明は、その中にソフトコンタクトレンズを有する概ね覆う形状とされた使い捨てパッケージである。パッケージは、互いに密封係合される少なくとも１枚のシート材料を有し、その少なくとも一枚のシート材料は、多重層のラミネートである。更に、パッケージは、平衡状態においてアーチ状とされるスプリングディスクと、パッケージ内でスプリングディスクの凸面側に置かれているコンタクトレンズとを有している。
【００４０】
更に他の実施例では、本発明はピールシールで互いに密封係合される可撓性のある材料である２枚の層を有するコンタクトレンズパッケージである。パッケージは、ピールシールで取り囲まれた密封範囲内にコンタクトレンズと水和媒体とを収容している。ピールシールは、導入部分を含んでおり、その結果、その密封の開け始めに要するピークの力が、密封の残りの部分を開くのに要する最も少ない力の１５０パーセントを超えない構成とされてる。
【００４１】
別の実施例では、本発明は、蓋部分と本体とを有する容器と、複数のコンタクトレンズパッケージと、取っ手とから成る旅行用コンタクトレンズパックである。
【００４２】
他の実施例は、カバーと、複数のコンタクトレンズを収容する容器とを有する複数のコ
タクトレンズ用の保管ケースを提示する。その容器は引上げインサートを有する。
【００４３】
また、コンタクトレンズを取り出すのに２つの端部がそれぞれ開くようになっている環状の容器から成る、複数のコンタクトレンズ用のディスペンサーが考えられる。
【００４４】
他の実施例は、基部と、その基部から延びる壁体とを有する複数のコンタクトレンズ用の収納スタンドである。その壁体は、そこにコンタクトレンズを取り付けるための手段を有する。
【００４５】
別の実施例では、細幅に開口するガイドを有する複数のコンタクトレンズホルダーシートと、ホルダーシートに取り付けられた複数のコンタクトレンズと、細幅に開口するガイドを有する基部と長穴を有した蓋部とから成る少なくとも１つの容器と、基部と中央の延長部分とを有したスタンドとから成る複数のコンタクトレンズ用の収納手段が提示される。ホルダーシートは容器の範囲内に収納され、容器は基部上を滑動する。
【００４６】
別の実施例では、アルミニウムコーティングされた包みと、複数のコンタクトレンズパッケージと、窒素ガスとを有したコンタクトレンズ配送用容器が示される。その包みは、密封前に窒素ガスで満たされる。
【００４７】
他の実施例は、その中にコンタクトレンズを保持するための使い捨てパッケージを提示する。このパッケージは、コンタクトレンズを保持する内部空間を画定する少なくとも１つの壁部と、レンズを含水状態に維持するためのその空間内の媒体と、その空間からレンズを取り外す手段とを有する。少なくとも１つの壁部は、均質、若しくは複数層の柔軟な材料で形成される。
【００４８】
別の実施例では、それぞれコンタクトレンズを保持する柔軟なレトルトタイプの使い捨てパッケージが連ねられたキットを提示する。各使い捨てパッケージは少なくとも１つの隣接するパッケージと連結される。
【００４９】
本発明において考えられる１つの様相である使い捨てコンタクトレンズパッケージの製造手段である。その手段は、柔軟な材料からなる一重のシートを用い、コンタクトレンズをそのシート表面に配置し、その材料表面に適量の含水状態を維持する媒体を加え、その材料をコンタクトレンズが保持される空間を画定するのに折り返し、コンタクトレンズを密封状態に保持するよう包みを密封する、という段階を有する。
【００５０】
別の実施例は、その中にコンタクトレンズを有する使い捨てパッケージの作製手段を提供する。その手段は以下の通りである、コンタクトレンズにスプリングディスクを被せる、スプリングディスク及びコンタクトレンズに必要最小量の水和媒体を加える、１枚の材料シートをスプリングディスクとレンズの上部に被せ、１枚の材料シートをスプリングディスクとレンズの底に配置する、そしてその上部と底の材料シートを密封する。
【００５１】
別の実施例において、本発明はその中にコンタクトレンズを有する使い捨てパッケージの作製手段である。その手段においてパッケージは、そのコンタクトレンズ周縁部に対する湾曲外表面の高さより浅い深さを有している。その手段は、コンタクトレンズ及び必要最小量の水和媒体を２枚のシートの間に置き、包みと内容物が滅菌状態になるようそのシートを互いに密封係合させ、パッケージを少なくともその１端に沿って裂くなどすることで、レンズを取り出すようにする、という段階を有する。
【発明を実施するための最良の形態】
【００５２】
以下に本発明を、好適なしかし限定されない実施例に基づき、添付図面を参照して説明する。以下の文中で、本発明の異なる態様を詳細に示す。示される各側面は、その他の態様や別の明確に示されていない態様と組み合わせることができる。特に、好ましいとされる特性や優れた特性は、その他の特性と又は好ましいとされる特性や優れた特性と組み合わせることができる。
【００５３】
“コンタクトレンズ収納空間の深さ”という用語は、コンタクトレンズパッケージが平坦な面にある時に、そのパッケージのコンタクトレンズ保持部分全体の高さから、そのコンタクトレンズ保持部分を成す対向する壁の厚みの合計を減ずることで確定されるコンタクトレンズパッケージ内のコンタクトレンズ保持部分の深さを意味する。
【００５４】
“周縁部に対する湾曲外表面の高さ”という用語は、平坦な面上に撓むなどしていない状態で置かれたコンタクトレンズ全体の高さを意味する。
【００５５】
コンタクトレンズをその“平衡状態”にあると述べることは、コンタクトレンズがその形状や高さに影響を及ぼす如何なる外部からの力の制限を受けない状態を意味する。
【００５６】
明細書中において均質なという用語は、同じ材料の単一層（つまり、ラミネート層ではない）から形成されるパッケージの壁部を指す。均質な単一層材料から成ると説明されるパッケージのうち多くはまた、本文書中に述べられているように適するプラスチックの組合せ若しくは適するプラスチックと金属層の組合せから形成され得る多重層ラミネート材料からも構成され得る。
【００５７】
図１及び図２では、２つの部分から形成される典型的な従来技術の使い捨てブリスターコンタクトレンズパッケージ１が示されている。パッケージ１はブリスターパック部２を有する。ブリスターパック部２はパッケージ１の蓋を形成する薄膜３によって密封されており、中のコンタクトレンズ４を取り出すのに、その薄膜は剥離され得る。図３では、図２のパッケージのコンタクトレンズ４を現出させるよう薄膜３が剥離されている状態が示されている。典型的な場合、部材２は予備成形ブリスターパックであって、レンズが置かれ得る凹部となる特殊形状の凹部５を有する。部材２は典型的には射出成形され、パッケージはフランジ６と番うことで滅菌密封状態をつくり出す密封部材３によって完備される。コンタクトレンズ４は保存液７に浸され、パックから取り出されるまで含水状態に維持される。予備射出成形ではパッケージの製造は高価なものになり、結果として必然的にコンタクトレンズは消費者にとってさらに高価なものとなってしまう。
【００５８】
図４は、２つの同一の従来技術のコンタクトレンズパッケージ１０及び１１に関する積み重ねの形態を示している。図４から２つのパックは都合よく咬み合っているが、それらはパック２つの厚さ（深さ）よりも厚いことが分かる。コンタクトレンズが比較的小さいことを考慮すると、理想的にはレンズパッケージはできるだけ空間を占めないものとすべきである。空間の節約は、レンズが大量生産されるものなので重要な問題である。既存のブリスターパックはレンズの大きさと比較して不釣合いな大きさの空間を占めており、取り扱い及び保管にかかる費用を増大させている。図５は複数の同様なブリスターパック１２が図４の様に積み重ねられ、カートン１３に収容された状態を示している。レンズは外部負荷からレンズを隔てる硬い容器以外では積み重ねることができないとされる従来の考えの結果、かさばり不便な、原材料多量消費のレンズパッケージの形となる。
【００５９】
先に言及したように、本発明の好ましい実施例は、その中にコンタクトレンズを有する使い捨てパッケージを供する。そのパッケージは、コンタクトレンズが平衡した形態にある時に、コンタクトレンズの周縁部に対する湾曲外表面の高さより浅いコンタクトレンズ収納空間の深さを有する。幾つかの実施例では、互いに密封係合される、若しくは、それらの間にサポート部材を有して密封係合される２枚の平坦なシート材料を用いており、パッケージのコンタクトレンズ収納空間の深さがコンタクトレンズの周縁部に対する湾曲外表面の高さより浅いという特徴を明確に示している。
【００６０】
図６−９に示される本発明の幾つかの実施例では、使い捨てコンタクトレンズパッケージ１８は、積み重ねられたスプーンのように相互に合わされるようにして積み重ねる事ができる。即ち、互いに上に積み重ねられる時は、１つ目のパッケージの凸面が２つ目のパッケージの凹面上に載せられる。この実施例の使い捨てパッケージ１８は、第１及び第２のシート１４，１５を有しており、それら両方が湾曲している。それゆえに、使い捨てパッケージ１８が密封された時、凹面と凸面があり、そしてコンタクトレンズがそれらの面の間に保持される。使い捨てパッケージの上側と底側のどちらの面が凸状若しくは凹状でもよい、しかしながら好ましい実施例では、パッケージの上側面が凹状でありパッケージ表面の底側が凸状である。このタイプの使い捨てコンタクトレンズパッケージ１８は、本文書中“スプーン形をした（ｓｐｏｏｎｉｎｇ）”と呼ばれ、スペースに関して二次包装で必要とされる大きさ同様に経済的である。この方法で積み重ねられ得る使い捨てパッケージの別の実施例が図１６５に示されている。このタイプの使い捨てパッケージは、コンタクトレンズを幾分平らに、平衡状態で、且つその連続体の間でそれと平行したどこにでも保持され得る。しかしながら、この実施例の使い捨てパッケージの共通する特徴は、それらのコンタクトレンズ収納空間の深さが０．１から３．０ｍｍの間であり、より好ましくは０．２から１．５ｍｍの間で、最も好ましくは０．２から０．５ｍｍの間であることである。この例では、コンタクトレンズパッケージのコンタクトレンズ収納空間の深さの定義は、パッケージのコンタクトレンズ保持部分を成す対向する壁の間の距離で規定されるコンタクトレンズパッケージ内のコンタクトレンズ保持部の深さを意味すると明確に解釈されるであろう。その距離は、通常コンタクトレンズ保持部分の中央で測定される。パッケージが凹面と、同じ方向に凹状となった対向する面とを有する場合（例えば、図６−９及び１６５）、“コンタクトレンズ収納空間の深さ”は、レンズがパッケージ内で規定位置にあるときのレンズの中央に対して垂直な線上にあるコンタクトレンズパッケージの壁の間の距離であることは明らかであろう。コンタクトレンズ収納空間の深さは、レンズ面に対しレンズの中心点で垂直であるコンタクトレンズパッケージの中のコンタクトレンズの中央を通る線を引き、そして、パッケージの壁がその引かれた線に交差するところの線の間の距離を計測することで測定することができる。その計測された距離が、コンタクトレンズパッケージのコンタクトレンズ収納空間の深さである。
【００６１】
図６及び８に示される本発明の使い捨てパッケージの１つの実施例では、使い捨てパッケージ１８は、コンタクトレンズ収納空間の深さが０．２から０．５ｍｍであり、互いに密封係合される第１のシート材料１４と第２のシート材料１５とを有する。この実施例では、２枚のシートのうちの１枚のシート１５にエンボス加工１６がなされており凸状の湾曲面１９を有している。エンボス加工１６は、図８に示されるように、エンボス加工されたシート１５にレンズ４が付着するのを防ぐことでレンズ４の取り出しを助ける。従って、開封された使い捨てパッケージ１８上でコンタクトレンズ４が所期の向きであることが可能となる。図７及び９の別の実施例１８ａに示されるように、エンボス加工をされた面１６ａは、代わりに上側のシート１４ａ上にあってもよく、この例では、底側シート１５ａが凸状であるのに対して、凹状の湾曲面１９ａも有することができる。図９に示されるのは、コンタクトレンズ収納空間の深さを約０．２ｍｍから０．５ｍｍの間とするコンタクトレンズパッケージである。この例のコンタクトレンズは、エンボス加工のなされていない底側シートに付着する。
【００６２】
エンボス加工１６は、図１０から図１２にその例が示されるように、抽象的図柄、格子柄、ロゴと多彩な形状を取り得る。別の方法として、図１３及び図１４の本発明の実施例では、使い捨てパッケージ１８ｃ及び１８ｄはエンボス加工なされていない。シート１４、１５は、不透明、透明、また白色もしくは薄い緑色などで着色されるなどとされてもよい。シートが着色されている場合、１つの好適な実施例は、コンタクトレンズが容易に見受けられるように、着色はコンタクトレンズに向け内側方向になされるのがよい。更に、シート１４、１５は、その上に印刷がされ得る。その印刷としては、例えばシンボル（文言、線図、図形など）、処方、使用法、製造情報などが考えられる。この印刷は、パッケージの外側とされ得るが、より好ましくはコンタクトレンズに向け内側方向（パッケージの密封時に）に配される、それによりコンタクトレンズは見受けられやすくなる。
【００６３】
図１５から図１７及び図１９に示される別の実施例では、使い捨てパッケージ１５６はサポート部材２０を有する。サポート部材２０は、使い捨てパッケージ１５６の内部でコンタクトレンズ４を囲んでいる。サポート部材２０は可撓性があっても堅くともよく、例えば、ポリプロピレン（ＰＰ）、ポリプロピレン共重合体（ＰＰＣＯ）、ポリメチルペンテン（ＴＰＸ）、ポリカーボネート（ＰＣ）、ポリサルフォン（ＰＳＦ）、ポリエチレンナフタレート（ＰＥＮ）、環状オレフィン共重合体（ＣＯＣ）、フッ化エチレンプロピレン（ＦＥＰ）などの適した重合体か、他の類似の材料から構成され得る。サポート部材２０は、使い捨てパッケージ１５６の平坦な輪郭を変化させない。更に、サポート部材２０の厚みは、使い捨てパッケージ１５６が密封状態である時、なおコンタクトレンズ４の周縁部に対する湾曲外表面の高さより浅いようになされている。サポート部材２０はまた、使い捨てパッケージ１５６の移動や開封の助けとなる取っ手２１（図１５）を備え得る。取っ手部分２１は、随意に図１７に示されるよう、使い捨てパッケージ１８を掴むのに役立つ切り抜き２４を有してもよい。
【００６４】
図１８に説明される別の実施例では、サポート部材２０ａは網目状部分２２を有している。網目状部分２２は、レンズが使い捨てパッケージ１５７の内部にある時に、網目状部分２２上に載っている様に、コンタクトレンズ４を更に保持する役を果たす。網目状部分２２は、例えば、ポリプロピレン（ＰＰ）、ポリプロピレン共重合体（ＰＰＣＯ）、ポリメチルペンテン（ＴＰＸ）、ポリカーボネート（ＰＣ）、ポリサルフォン（ＰＳＦ）、ポリエチレンナフタレート（ＰＥＮ）、環状オレフィン共重合体（ＣＯＣ）、フッ化エチレンプロピレン（ＦＥＰ）などの適した重合材料か、他の類似の材料から構成され得る。
【００６５】
サポート部材２０のある使い捨てパッケージ及びサポート部材２０の無い使い捨てパッケージは多様な形状をとり得る。例えば使い捨てパッケージは正方形・長方形・楕円形・円形・涙形・８の字形・三角形・それらの組合せ・それらの対称及び非対称形、またそれらの直定規及び角に丸みをもつものなどとすることができる。２つの別のコンタクトレンズパッケージの形状１５８、１５９が図２０、２１に示されている。他の形状は、ソフトコンタクトレンズに適応することが出来さえすれば条件にあう。
【００６６】
図２２から図４５に示される他の実施例では、使い捨てパッケージはコンタクトレンズ用第１空間３４と水和媒体用第２空間３２とを有することができる。この組合せは多様な形状を取り得る、それらのうちいくつかにおいては、水和媒体用第２空間は平らな円い形状とされ、随意で取っ手として使用される。図２２及び図２８は、水和媒体用第２空間３２がコンタクトレンズ用第１空間３４に取り付けられても良く、その２つの空間は使い捨てパッケージ１６０を成す２枚のシートの間の連接部３１によって切り離され得ることを説明する。連接部３１は、撓み容易に折れるものとすることができる。例えば、図３４では第２空間３２は折り取られ、図２２、図２８、図３５、図３６では第１空間３４から切り取られる。水和媒体用第２空間３２はキャップ３０を有しても良い。キャップ３０は、引っ張ったり、ひねったり、折り取ったりすることで取り外され得る。また、図２４から図２５の使い捨てパッケージ１６１に示されるように、第２空間３２は第１空間３４に連結されたままでも良い。第１空間３４と第２空間３２は同時に開封されても、別々に開封されてもよい。１つの例では、コンタクトレンズ用第１空間３４は水和媒体用第２空間３２に先んじて開封される。別の例では、水和媒体用第２空間３２はコンタクトレンズ用第１空間３４に先んじて開封され得る。第１空間と第２空間とは、同じ手段若くは異なる手段で開封されてもよい。第１空間と第２空間３４、３２とはホイル製カバー２６（図２８）または別のカバーを剥離することで開封され得る。また、第１空間３４はホイル製カバー２６を剥離されることで開封され得、第２空間３２はキャップ３０を取り外すことで開封され得る。図２６、図２７では、第１空間３４がホイル製カバー２６または別のカバーを剥離されることで開封されており、一方第２空間３２は、取り付けられたまま未開封であるところが示されている。
【００６７】
カバーは、基部、サポート部材、若しくは使い捨てパッケージを成すシートの１枚に熱処理密封されてもよい。熱処理密封はパッケージの周囲全てに成されてもよく、又は、コンタクトレンズを収納する第１空間の周りにだけ成されてもよい。第１及び第２空間３４，３２は、そのどちらかが、また両方が開封される前後のどちらに切り離されてもよい。別の実施例では、水和媒体用第２空間３２は、その第２空間３２が第１空間３４から切り離されることで開封されてもよく、それに伴って、図２９−３４の使い捨てパッケージ１６２の実施例に示されるように、水和媒体を排出できる開口部つまり流路３６が現れる。他の実施例では、図４０に示されるよう、第１及び第２空間は、使い捨てパッケージ１６３のカバー２６を剥離することで開封される。図３７から図３９に示される実施例では、２つの空間３２、３４はカバー２６をその端から引き剥がすことで開封されてもよく、その両方を同時に開封することも、一方を密封したまま片方の空間を開封することもできる。
【００６８】
水和媒体は、コンタクトレンズ使用に適する如何なる溶液でもよい。例えば、水和媒体は、再湿潤液、洗浄液、他の保存液が可能である。適した水和媒体の１例は、食塩水である。
【００６９】
図４１及び図１１６から図１１７に示される他の実施例では、１つの使い捨てパッケージ１６４また１８２は、他の同一の使い捨てパッケージ１６４または１８２に連接可能である。連接された使い捨てパッケージは、ストリップ４１の形状としてもよい。連接される使い捨てパッケージ１６４の数量は、１から９０、または、９０から１８０とすることが出来る。連ねられた使い捨てパッケージのストリップ４１は、巻き上げても、ジグザグ形に折畳まれてもよい。連接されストリップ４１の形を成す使い捨てパッケージ１６４及び１８２は、コンタクトレンズ用第１空間３４のみ有しても、また、水和媒体用第２空間３２を同時に有してもよい。使い捨てパッケージ間の連接部３１及び７６は、可撓性があり容易に破談される。さらに図４１の実施例では、使い捨てパッケージ１６４の開封を補助する破断用切り欠き４０が示されている。
【００７０】
使い捨てパッケージのストリップ４１、または、複数の同じ使い捨てパッケージは、次のパッケージが現れるタイプのディスペンサーで使用可能である。この実施例では、複数の使い捨てパッケージ１６４及び１８２は、容易に破談される連接部３１，７６（図１１６、図１１７）を介して互いに連接され、１個の使い捨てパッケージ１６４が取り外されると別の１個が取り出し部分に来るというように、１度に１個の使い捨てパッケージが取り出される。また、複数の同じ使い捨てパッケージがディスペンサーに収容されており、１個の使い捨てパッケージ１６４が取り出される時、次の同様な使い捨てパッケージ１６４に係合し、それにより次のパッケージ１６４が続いて取り出せるようになるという方法がある。
【００７１】
図４４、図６７で示される例では、使い捨てパッケージは、その中にコンタクトレンズ４を平らな状態で保持し、パッケージが密封されている間コンタクトレンズが動くのを制限する。図４４では、使い捨てパッケージ１６４は、典型的な従来技術のブリスターパック２７で生じるコンタクトレンズ４の問題のある動きを防ぐ。図４６から図４８で説明されるように、従来技術のブリスターパック２７のコンタクトレンズ４は、逆さになる、転位する、側面に付着する、半分に折れるといった可能性がある。しかしながら、本発明のいくつかの実施例における使い捨てパッケージは、コンタクトレンズ４を、パッケージが密封された時最初にレンズが置かれた位置と同じ位置に保持する。更に、コンタクトレンズ４は、使い捨てパッケージが開封された時、常に所期される向きで提供される。このことは、装着の前にレンズを整える必要を軽減し、レンズ損傷のリスクやレンズ及び装着者の眼を汚染するリスクを軽減する。これはまた、装着者へのコンタクトレンズの装着を容易にする。概して、装着者の視力は、コンタクトレンズ装着前は幾分損なわれているであろうから、パッケージが開封された時、見ることが出来なくとも、コンタクトレンズの位置が分かることは有益である。
【００７２】
本発明の好ましい使い捨てパッケージの顕著な特徴は、その中でコンタクトレンズ４が平らな状態に保持されることであるが、使い捨てパッケージそのものは平坦である必要はない。使い捨てパッケージは、多様な形態を取り得るが、薄い輪郭で、コンパクトに積重され収容される使い捨てパッケージが好ましい。
【００７３】
図４９Ａから図５１Ｂに示されるよう、使い捨てパッケージを作製するのに有効な構造や形態は多様である。図４９Ａ、図４９Ｂで、小袋タイプ使い捨てパッケージ１６５は、３層から形成される。２枚のシート材料外層１４、１５は通常アルミニウムホイルであり、内方の層はポリプロピレン若しくは他の適した重合体である。このタイプの使い捨てパッケージ１６５の典型的な厚みは、ほぼ１．０ｍｍであるが、材料やデザインの選択により減ずる事が出来る。アルミニウムホイルとポリプロピレン（または他の適した材料）は、図５０Ａと図５０Ｂの小袋タイプでない使い捨てパッケージ１６６にも使い得る、そのパッケージの全体の厚みは、ほぼ１．０ｍｍ〜２．０ｍｍであり、好ましくは１．０〜１．８ｍｍである。この実施例では、ホイルは、パッケージのカバーと基部の両方に使用され得る。図５１Ａと図５１Ｂに示される総ポリプロピレン製使い捨てパッケージ１６７は、ほぼ２．０ｍｍ〜３．０ｍｍ、好ましくは２．０〜２．２ｍｍの厚みとされ得る。これらの構造は、スプリングディスク４６（図６１から図６９）やサポート部材２０のあるなしにかかわらず使い捨てパッケージに使用可能であり、如何なる形状や色でもよい。例えば、他の適した重合体がポリプロピレンに代わって、またポリプロピレンと組み合わされて使用されうる。
【００７４】
図５２は使い捨てパッケージ１７８の別の実施例を示し、使い捨てパッケージのコンタクトレンズ収納空間の深さ（“ＩＤ”）が示されている。このパッケージにおけるコンタクトレンズ収納空間の深さは、パッケージの高さからカバー材料４７の厚みと基部４９を形成する材料の厚みを減じることで測定される。他のパッケージでは、コンタクトレンズを保持するのに使用されない部分があり得る。これらの部分は、コンタクトレンズ保持部のコンタクトレンズ収納空間の深さを測定する場合、無関係である。本発明の使い捨てパッケージにかかる実施例の幾つかにおけるコンタクトレンズ収納空間の深さは、ほぼ０．１ｍｍから３．５ｍｍであり、更に好ましくは０．１ｍｍから３．０ｍｍである。その大きさに係わらずコンタクトレンズ収納空間の深さは常に、コンタクトレンズが平衡状態にあるときのコンタクトレンズ周縁部に対する湾曲外表面の高さより浅い。平衡状態では、コンタクトレンズ周縁部に対する湾曲外表面の高さは、概して３．８ｍｍより大きく、多くの場合５．０ｍｍである。
【００７５】
図５３から図５５に示される使い捨てパッケージ１６８の１つの実施例では、基部５０の凹部４３に島状の突出部４２があり、その上にコンタクトレンズ４が置かれる。コンタクトレンズ４は使い捨てパッケージのカバー２６により平らな状態に保持され、突出部４２上に固定される。更に、使い捨てパッケージの少なくとも片面には滑らかでない面があり得る。例えば、その滑らかでない面は浮彫りの隆起やうねでよく、使い捨てパッケージの片面になされても両面になされてもよく、また取っ手にあってもよい。この実施例では、浮彫り４４は使い捨てパッケージの片側にあり、使用者がコンタクトレンズ１６８を容易に把持するのを可能にする、加えて基部の角にある切り抜き２４はカバーシート２６を取り除くのを容易にする。
【００７６】
別の実施例では、使い捨てパッケージ１５６は涙形でありサポート部材２０に切り抜き２４を有しており、使い捨てパッケージ１５６の扱いを容易にする。図５６から図６０は、カバー２６のある又は無い涙形の使い捨てパッケージ１５６が、不透明及び透明の両方で示されている。側面図は、使い捨てパッケージ１５６のカバー２６が取り除かれるまで、平らな状態に保持されているコンタクトレンズ４を説明する。
【００７７】
図６３、６５から６８に示されるように、使い捨てパッケージ１６９が密封される時、使い捨てパッケージ１６９には、ポリプロピレン製スプリングディスク４６ｃが加えられてもよく、スプリングディスクは、使い捨てパッケージ１６９が開封された時、コンタクトレンズ４をその平衡状態に戻す補助をする。図６１、図６２及び図６９から図８６に示されるよう、スプリングディスク４６ａ〜４６ｔの多彩な実施例は、本発明の幾つかの実施例において考えられている。スプリングディスク４６ａ〜４６ｔ全てに共通する特徴は、平衡状態にあるということである。スプリングディスク４６ａ〜４６ｔは平坦ではない。しかしながら、図６３及び６５から図６８に示されるように、それらは、使い捨てパッケージ１６９に密封されている時、与圧され平らな状態に保持され得る。他の様々な様態も可能であるが、使い捨てパッケージを密封する２種類の異なる方法が図６４と図６８に示される。図６４では、２枚のシート材料１４、１５は、パッケージ１６９ａを形成するのに一端で互いに封をされ、そして他端でスプリングディスクをその中にして封がされる。また、図６８では使い捨てパッケージを構成する２枚のシート材料１４、１５は、両端で互いに密封係合されている。図６５に示されるように、破断用切り欠き４０と浮彫り４５が備えられうる。
【００７８】
図６８は、弛緩した状態で、アーチ状であるスプリングディスク４６ｃはアーチ形を説明している。しかしながら、スプリングディスク４６ｃは、使い捨てパッケージの２枚のシート材料１４、１５の間に配置され密封された場合、平らにされ、ひいてはその上のコンタクトレンズ４も平らとなる（図６７）。使い捨てパッケージ１６９が開封されると、スプリングディスク４６ｃは持ち上がりそのアーチ状態となり、コンタクトレンズ４は‘即座に装着できる’体勢とされる。言い換えれば、レンズ４は拇指と人差し指に挟まれ取り出され、装着者の眼に装着され得る（図６８）。スプリングディスク４６ｅ上にあるコンタクトレンズ４の斜視図が図８６に示される。見取れるように、平衡状態でスプリングディスク４６ｅは、コンタクトレンズ４に向かって上方に伸びる突出部５１を有している。その突出部５１がその上にコンタクトレンズ４があるときその中央部を保持する。コンタクトレンズの周縁は、スプリングディスク４６ｅの基部５３´の周囲に位置する。
【００７９】
図６９はスプリングディスク４６ｄを含む使い捨てパッケージ１７０の部材一式を図解している。この実施例では、スプリングディスク４６ｄは使い捨てパッケージ１７０の基部５０を形成するモールドされたポリプロピレン製シート上に置かれる。コンタクトレンズ４は、凹面を上にしてスプリングディスク４６ｄに載せられ、使い捨てパッケージ１７０は、アルミニウムホイル製カバー２６により密封される。
【００８０】
好ましくは、コンタクトレンズ４の凹面がスプリングディスク４６ｄの上に載せられる。しかしながら、図８７、図８８に示される別の実施例ではコンタクトレンズ４の凸面がスプリングディスク４６ｅに載っている。この実施例では、封をされた使い捨てパッケージ１９１は、レンズ４とスプリングディスク４６ｅを平らな状態に保持し、開封されると、どちらも平衡状態に戻る。
【００８１】
他の実施例が図８９Ａから図８９Ｅに示されており、その中で、スプリングディスク４６ｅを用いて可能とされる装着手段が図解される。半軟質のポリプロピレン製スプリングディスク４６ｅは、コンタクトレンズ４を装着者の目に直ちに装着できる向きに常に配置する。図では、スプリングディスク４６ｅは、人差し指の先端に載せられる。次に指がスプリングディスク４６ｅの中央を押し通し、コンタクトレンズ４の凸面に接触する。スプリングディスク４６ｅが指の付け根に下り、コンタクトレンズ４が人差し指先端に載るまで、指によるスプリングディスク４６ｅの中央を貫通する移動をつづける。そこで、コンタクトレンズ４は装着者の眼に容易に装着される位置にくる。故に、コンタクトレンズ４の装着に、手の接触は最低限となり、コンタクトレンズ４及び眼を汚染するリスクを軽減する。
【００８２】
他の実施例では、使い捨てパッケージの作成手段が提供される。この実施例では、スプリングディスクはコンタクトレンズの頂部に位置される。次に、スプリングディスクとコンタクトレンズに必要最低量の水和媒体が添加され、続いてシート材料がスプリングディスクとコンタクトレンズの上方に、そしてシート材料がそれらの下方に配置される。これらシート材料はその後、密封される。別の手段では、スプリングディスク及びコンタクトレンズは水和媒体を添加される前に逆さにされ、スプリングディスクより先にコンタクトレンズに水和媒体が接触することとなる。密封された使い捨てパッケージが開封されると、スプリングディスクが持ち上がり、その上のコンタクトレンズが持ち上がる。しかしながら、平衡状態のコンタクトレンズは平衡状態のスプリングディスクのより高い位置に置かれることとなる。
【００８３】
本発明に基づく使い捨てパッケージの好ましい実施例は、密封式の封、典型的にはパッケージの周縁方向に向かう密封式の封、を有する。図６及び図７の様に、パッケージがのこぎり状の刻みを施された場合、２枚のシートの柔軟性は異なるものとでき、封の強度は周縁において多様とされ得る。そのことは、最もコンタクトレンズを容易に取り外す方法でパッケージを開封できるようにする。更に、スプリングディスクを有したパッケージは、規定の仕方で開封されるよう内部に封を有している、それ故、コンタクトレンズは常に一定の向きで現わされる。例えば、図６８の使い捨てパッケージ１６９では周まわりに封を有しうる。また、好ましくはディスク４６ｃの縁は、封により第２のシート１５付着され、その封はディスク４６ｃと第１のシート１４の間の封より堅固とされる。シート１４及び１５が把持され引き離されると、周を密封した封がまず開封され、次に第１のシート１４がディスク４６ｃからはがれ、ディスク４６ｃが第２のシート１５に付着された状態で残る。そして、パッケージが開封されたとき、スプリングディスクの弾性部分の中央は常にその上のレンズ４と共に持ち上がるようになっている。（もちろん、レンズの向きとスプリングディスクの跳ね返る方向が、パッケージが連接されるとき、現パッケージから次のパッケージで一定していることを前提とする。）密封式封の形は、使用者が最初に第１と第２のシートを剥離するのに使われるパッケージの部分に向かう先端を有しうる。そのためシート開封の手順は、この先端から始まり、開封に要する力は、この先端における密封式封の開封に注がれる力が全てとなる。シートの内部層とディスクの構成は、一般に知られている熱処理により互いに溶接される方法を選ぶことが好ましい。ディスクは平坦でない面を有して形成され、封がなされる方法とその堅固さに影響を及ぼす、そして、第１のシート１４が、最初に開封されるであろうパッケージの部分近くのディスク面から容易に剥離されるように、そしてディスク後部にシート１４をより堅固に接合するように、パッケージ内のディスクは配置される。これは、パッケージを適した停止点まで、つまりレンズがパッケージから取り外されるよう現されるところまで、開封するのを容易とする。
【００８４】
スプリングディスクのある使い捨てパッケージ及び無い使い捨てパッケージは、様々な形態を取り得る。図９０は、切り欠き４０を有する楕円形の使い捨てパッケージ１７１を示している、その切り欠きはコンタクトレンズ４を取り出すのに、使用者が使い捨てパッケージ１７１からカバー２６の端部を断裂するのを助成する。図９１は、図９０の使い捨てパッケージ１７１からカバー２６が取り除かれた図であり、スプリングディスク４６ｅとコンタクトレンズ４が見えるようにされている。切り欠き４０を有した角に丸みのある長方形のバリエーションが図９２に示される。
【００８５】
ヒンジ式カバー２６を有する楕円形の使い捨てパッケージ１９２が図９３及び図９３Ａに示される。この実施例におけるカバー２６は、完全に取り除かれることなく剥離されるように周まわりで密封される。言い換えれば、カバーはコンタクトレンズ４を現すのに充分なだけ剥離され、ヒンジ部５２で使い捨てパッケージ１９２との接合を残す。こうして、シールが開かれるとカバー２６はドアのように後方に向きを変え、使い捨てパッケージ１９２の収容物の取り出しを可能とする。
【００８６】
非対称涙形の使い捨てパッケージ１７３が、図９４、図９５に示される。この実施例では、２箇所の破断用切り欠き４０が幅の狭い側の端部に設けられ、中のコンタクトレンズ４を出すのに使用者が使い捨てパッケージを開封できるようにしている。この形状は、ディスク５４上に、２つの使い捨てパッケージ１７３を相互にはめ込みコンパクトに収納する事を可能にし、旅行中の消費者にとって理想的な選択肢となる。
【００８７】
幾つかの小袋タイプの使い捨てパッケージが図９６から図１００に示される。図９６では、破断用切り欠き４０を有した典型的な正方形の使い捨てパッケージ１９６が見て取れる。より進化した切り取り端部７３を有する角に丸みのある正方形の使い捨てパッケージが図９７に示される。この実施例では、切取り端部７３は２箇所の中部分５５のためより目に付きやすくなっている、そこでは、ホイルが切取り端部７３と使い捨てパッケージ１９３の本体の間で切り取られている。図９８に示される様態では、周縁から中央に向けの伸びる切り欠き４０が設けられており、それにより切取端部７３を目視し易くしている。
【００８８】
図９９は、一端に指形切取り端部７３を有した角に丸みを持った正方形の使い捨てパッケージ１７５を示す。この切取り端部７３は使い捨てパッケージ１７５を破断開封するための手段であると同時に、図１００に示されるように２つの同じ使い捨てパッケージ１７５を接合する手段でもある。２つの使い捨てパッケージの指形切取り端部７３は相互に組み合わされ、２つの使い捨てパッケージ１７５を繋げて保持する。
【００８９】
他の実施例では、二重曲線形の使い捨てパッケージ１７６が提示される（図１０１）。この実施例において、例えばアルミニウムホイルの様な上側のシート１４は、底側のポリプロピレンシート１５にひだ無しに結合される。上側シート１４は、中のコンタクトレンズ４を出すのに後ろに引かれ得る。二重曲線という形状は、図１０２に示されるように、複数の使い捨てパッケージ１７６をコンパクトに積重することを可能にする。
【００９０】
図１０３については、使い捨てパッケージ１７７はモールドされたポリプロピレン製基部５０と透明なポリプロピレン製プルトップタイプカバー５８を有している。この実施例では、プルトップタイプカバー５８は一端を剥離の起点とする、その一端は、プルトップタイプカバー５８の一部であり、そこは基部５０に付着されておらず、また容易に把持される。プルトップタイプカバー５８が取り除かれると中のコンタクトレンズ４が現される。
【００９１】
図１０３のプルトップタイプカバー５８のバリエーションが、図１０４及び図１０５に示される。この実施例では、プルトップカバー５８の剥離に助力する一段高くなっている取っ手５６が設けられる。図示のように、プルトップタイプカバー５８が剥離されると、基部５０が曲げられコンタクトレンズ４の取出しが可能となる。取っ手５６は、高齢者のような指の力の弱い使用者に容易な開封を提供するのに設けられるが、その取っ手５６を把持し易くする為と使い捨てパッケージ１７８の開封をより容易にする為に、鍵形の先端や他の工夫を使用できる。
【００９２】
他の実施例で、基部５０の一部がカバー２６と共に後部に折り曲げられる。図１０６、図１０７では、細長い半楕円形の使い捨てパッケージ１７９が、コンタクトレンズ４とアルミニウム製カバーシート２６と共に示される。基部５０は、内部の細長い半楕円形部分であり、垂直なエッジ２５５を除いては外周部２５１に接触していない。使い捨てパッケージ１７９を開封するのに、外周部２５１とアルミニウム製カバー２６の両方が後方に剥離されるので、その中のコンタクトレンズ４の取り出しは容易となる。
【００９３】
図１０８、図１０９の使い捨てパッケージ１８０のバリエーションでは、基部の内側部分５０に尖鋭な端部６２が設けられており、カバーシート２６の剥離を容易にしている。この実施例に基づく使い捨てパッケージ１８０は、角に丸みのある長方形とされているが、基部の内側部分５０は尖鋭なアーチ形とされている。それ故、外周部２５１が僅かに下方へ曲げられると、内側部分のアーチの突端６２はカバーシート６０に入り込み、浮彫りに沿うように、そのシートは規定の道筋にそって後方に引かれる。このような浮彫り４５は、容易な開封の為に設けられ、意匠を凝らした切れ目、切取り点線、また半ばまで入った切れ目とされ得る。
【００９４】
図１１０から図１１３に示される、ポリプロピレン製スプリングディスク４６ｇを有した使い捨てパッケージ１８１の実施例では、使い捨てパッケージ１８１はつまみ６４を有している。つまみ６４は、ヒンジ１２７を介してパッケージ本体から折り破断されて使い捨てパッケージ１８１は開封され得る。つまみ６４と本体の間の連接が、つまみを上方向に向けて折ることで断たれると、保護用のカバー２６は剥離され、コンタクトレンズ４とポリプロピレン製スプリングディスク４６ｇとが現わされる。保護用カバー２６の抑制が取り除かれると、ポリプロピレン製スプリングディスク４６ｇは、平衡状態に、その上のコンタクトレンズ４同様にアーチ形の状態に戻る。次にコンタクトレンズ４は、拇指と人差し指に挟まれ取り出され、装着者の眼に装着され得る。この例では、スプリングディスク４６ｇはポリプロピレン製であるが、スプリングディスク４６ｇは、当業者に知られている他の材料、例えば適したポリオレフィン、シリコーン、ポリアミド、ポリウレタンや他の是認された材料などから作成されうる。
【００９５】
別の実施例では、使い捨てパッケージ１８２はレトルトタイプのパッケージである。図１１４を参照すると、本発明の１つの実施例に基づくレトルトタイプ使い捨てパッケージ１８２の斜視図が示されている。レトルトタイプ使い捨てパッケージ１８２は、コンタクトレンズ４を保持する層状の可撓性のある包を有している。その包は、１片若しくは２片の、類似の若しくは異なる可撓性の材料で形成され得る。１つの実施例によれば、レトルトタイプ使い捨てパッケージ１８２は、可撓性のある薄板状の材料１片で形成されており、パッケージに形成される空間内に保持されたレンズを保護するのに充分な丈夫さを持ちながら、曲げたり、折畳まれたり、捩じられたり、丸められたり、押し潰されたりなどで、ただしこれらに限定されないが、及ぼされるさまざまな影響力に耐性をしめす充分な可撓性を有する。パッケージの壁部は、好ましくは均質な材料で構成される、そしてコンタクトレンズの形状に適合されることは必ずしも必要とされず、むしろコンタクトレンズがパッケージの中で浮遊するように成されている。このような“浮遊”は、パッケージの閉ざされた範囲内で流体力により達成される、流体力はコンタクトレンズをパッケージ表面から維持し緩衝物として働く。パッケージ内に空気がほとんど無いか、全く無いので、いかなる内側で起こる動きも最小とされる。
【００９６】
レトルトタイプの使い捨てパッケージ１８２は、均質な材料それ自体を後ろに折り重ね、その端部を密封することで滅菌状態の封を成すという方法で形成され得る。また、レトルトタイプの使い捨てパッケージ１８２は、向き合わされた２枚の均質な材料を、その端部を熱処理加工で密封することで形成されても良い。レトルトタイプの使い捨てパッケージ１８２を、所定の熱処理加工密封された１箇所又はそれ以上の端部沿いに分割することで、中のレンズを取り出すことが出来る。
【００９７】
図１１４では、レトルトタイプの使い捨てパッケージ１８２は、第１及び第２のバリア層１４、１５を有する、バリア層は、１つの層を折り重ねることで、若しくは２つの個別の層を合体させる事で形成されうる。バリア層１４、１５は端部６６、６８、７０、７２の周りを熱処理加工することで密封される。熱処理加工で密封された端部６６から７２は、レンズ４が収容される内部空間７４を画定する境界になる。レンズ４は、所定の最低量の保存液４８に浸され、含水状態に保たれる（図１１５）。レンズを取り出したり現すのに、バリア層１５をバリア層１４から剥離され得。または、バリア層１４をバリア層１５から剥離してもよい。バリア層の剥離を始め易くするのに、層の間の結合の係合の一部は軽く密封されている、それは、バリア層の剥離を可能とする角になされるのが好ましい。図１１５は、図１１４のレトルトタイプの使い捨てパッケージ１８２が、レンズを取り出すのに剥離され開かれた状態を示す。
【００９８】
１つの実施例によると、バリア層１４、１５はレンズパッケージへの制定法上の要件をみたせる材料を有する多重層のラミネートである。例えば、典型的なレトルトタイプの使い捨てパッケージ１８２の材料は、ポリプロピレンなどのようなポリエチレンテレフタレート（ＰＥＴ）層、アルミニウム層、ポリオレフィン層から成り得る。アルミニウムの薄い層は、固有の柔軟性や酸素透過を抑制する等の特性を有しているので、バリア壁の合成部材として適している。
【００９９】
所定サイズのレトルトタイプの使い捨てパッケージ１８２は、同じ又は異なった材料のバリア層から形成され得る。１つの実施例に関して、レトルトタイプの使い捨てパッケージ１８２は、レンズを保持する空間を形成するのに１片の材料を後ろに折畳むことで形成され得る。他の実施例では、向かい合わせに係合された同じ材料２片若しくは異なった材料の２片は、それらの端部を熱処理加工により密封される。１つの実施例によると、バリア材料積層の大略は、１０μのＰＥＴ外層、５０μのアルミニウム層、５０μのポリプロピレン層とされ得る。
【０１００】
図１１６を参照すると、レトルトタイプの使い捨てパッケージ１８２のストリップ４１は、破断の容易な接合部分７６により互いに接合されている。レトルトタイプの使い捨てパッケージ１８２は、接合部分７６を切り離すことで一度に１枚ずつ取り外される。また、そのストリップは、接合部分７６で折畳むこともでき、それは効率のよい収納と梱包に役立つ。従って、従来技術のブリスターパック２７でレンズ２枚を収納するのに使われたのと同じ大きさの空間に、６枚から８枚、あるいはそれ以上のレンズが収納できる可能性がある。
【０１０１】
図１１７では、図１１６のレトルトタイプの使い捨てパッケージ１８２が連なるストリップが、接合部分７６を介してパッケージ１８２に付着された水和溶液用パック３５を有した状態で示されている。水和溶液用パック３５は、レンズへの水分補充が必要とされる場合に、レンズを水和する目的で消費者に使用されてもよい。
【０１０２】
本発明の使い捨てパッケージ２０１の他の実施例が図１６６〜１７１に示される。この実施例では、パッケージ２０１は、図６７、６８に示されるパッケージ１６９同様、相対的に平らであり、そして２枚のラミネート材料２０２、２０４及びスプリングディスク２０６とから成る。当然ながら、パッケージ２０１は、またコンタクトレンズ４及び食塩溶液（図示しない）を含み、装飾的な印刷やレンズパラメーターのような他の印刷を上面及び裏面の外面に備えることが出来る。上側シート２０２と底側シート２０４の別れた２枚のシートから形成される代わりに、パッケージ２０１は、１枚のシートを折り返し、示される形状に整えることで形成することが出来る。スプリングディスク２０６は好ましくは、直径約２１ｍｍ、外側リング構造を厚さ約０．５ｍｍ、中央のリーフバネ部分を厚さ約０．３ｍｍとし、リーフバネ部分は、示されるように約６枚で、それぞれ貫通する多数の小孔を有する。
【０１０３】
パッケージ２０１は、剥がして開封するように考えられており、パッケージの開け始めに要される力が、パッケージを開け続けるのに要される力とほぼ等しくなるような形状とされた簡易開封のピールシールを有して形成される。好ましいパッケージは、長さ約４０ｍｍ、幅約３０ｍｍである。パッケージは、図１７１が最もよく示すようなラミネート材料２０３から作られるのが好ましい。パッケージ２０１に適したラミネートは、日本国、東京の細川洋行株式会社（Ｈｏｓｏｋａｗａ  Ｙｏｋｏ  ＣＯ．  ＬＴＤ．）より市販されているイージーピールフィルムである。ラミネート２０３の１つの実施例では、層は５層である。内側層２０５は、好ましくは約３５μの厚さのポリプロピレンのような剥離容易な密封材料である。２番目の層２０７は、好ましくは１５μのポリプロピレンフィルムであり、１番目のポリプロピレン層に接着される。３番目の層２０９は、好ましくは３５μのアルミニウム層である。４番目の層２１１は、好ましくは３μの裏刷された層である。最も外側の層２１３は、好ましくは１２μのＰＥＴ層である。当然ながら、層は、種種のニーズに合わせて異なる厚さとすることが出来、より多い枚数や少ない枚数とすることも出来る。例えば、共押出し成形のポリウレタンの結合材が、層２０５と２０７の間、及び層２０７と２０９の間に施され得る。また、３５μのアルミニウム層が好ましいが、アルミニウム層は、７μの薄さにも７０μの厚さにも出来る。少なくとも１５μの厚みで、アルミニウムは、酸素バリアの機能を果たす。他のラミネートは、剥離容易なポリプロピレン３５μの第１層、結合材層、１２μのＰＥＴ層、別の結合材層、２０μのアルミニウム層、他の結合材層、最後に他のフィルムに貼り合わされる前に印刷を施すことが出来る１２μのＰＥＴ層を有することが出来る。結合材層は、ドライラミネーションとしても良い。剥離容易なポリプロピレン層は、当然ながらパッケージ内側上になる。
【０１０４】
パッケージ２０１内には、２つのシールが形成されている。まず、スプリングディスク２０６がシール２０８（図１６７）で底側シート２０４に固着されている。このシールは、パッケージが開封されたときにディスク２０６が底側シート２０４に付着したままであるような強度でつくられている。上側シート２０２は、ピールシール２１０で底側シート２０４に密封されている。ピールシール２１０は、ディスク２０６を完全に取り囲みパッケージ２０１に密封を施している。シール２１０は、残りのシール２１０から外側に伸びる尖った部分の形をしている導入部２１２を有する特殊な形状をしている。尖った部分２１２は、最初に開かれるパッケージの手前側２１４に向けられている。図１６９に示されるように、パッケージ２０１は２枚のシート２０２と２０４とをパッケージの手前側２１４で分離することで開封される。シートは手前側で互いに密封係合されていないので（つまり、前端部分両方が互いに密封係合されていない）容易に分離される。上側シート２０２を剥がす際、接触し引き剥がされるシール２１０の最初の部分が尖った導入部２１２である。上側シート２０２が後方に引っ張り続けられてゆくと、シール２１０は引き剥がされ続けレンズ収納内部に開口が形成される。図１６９に示されるように、この段階で、ピールシール２１０は、導入部２１２の幅全体を分離しているが、シール２１０の残りの部分は、そのままである。上側シート２０２は、図１７０に示される位置に到達するまで引き剥がされ続け、パッケージを完全に開きレンズ４を露呈する。他の実施例と同じように、パッケージ２０１が開くとスプリングディスク２０６の中央がポップアップし、レンズを使用者が容易に摘まめる位置に持ち上げる。
【０１０５】
図１７２は、典型的なブリスターパッケージとパッケージ２０１とを開くのに要する力を、時間関数で示したグラフである。これらのグラフは、パッケージが定速テンションメーターを使って開かれたときに加えられた力を表している。シートを把持する部分が定速で離され、その用いられた力が記録された。線２１４は、図４７に示されるような典型的なブリスターパックのシールが開かれるのに要された力を示す。シールの最初の部分に会うと、その力はピーク２１６に到達する。その後、パッケージを開き続けるのに要される力は、劇的に減少し、グラフの低領域２１８に到達する。そして、蓋の付け根が完全に取り除かれた場合、要される力は第２のピーク２２０に到達する。
【０１０６】
ピーク２１６と２２０は、典型的ブリスターパックのシールにおいて、シールの形状が輪状（スプリングディスク２０６を底側シートに密閉するのに使用されるシール２０８とほぼ同じ形状）であり、リングの全周囲に一定の半径方向の厚みを有することから引き起こされる。蓋材料に可撓性があるので、蓋材料とブリスター基部の間のパッケージ剥離点が、パッケージ上を横断するように移動する線を形成する方法で蓋は後方に引き剥がされる。パッケージを開くのに要される力は、その線が引き剥がし範囲と交じわる部分の長さに比例する。始めに、線はリングの外側に接する。しかしながら、パッケージのシールが開かれ始めると、相交わる線部分の長さは、リングの周方向での長さと半径方向での厚みの関数である最高点にまで急激に増加する。線は、シールを突破した点に移動すると間もなく、次は、シールの同一線上の２つの異なる部分に相交わる。しかしながら、相交わる線部分の長さは、線がシールの中央に近づくと減少するので、開封に要する力は、パッケージが更に開かれるにつれて急速に減少し始める。シールはシールの両側が同時に開封されるので、開封を要するシールの総量は周方向の厚みの丁度２倍である。その後、力は再び増加し始め、シールの分離した線が再びシールの後ろ側に交わるとき、ピーク２２０に到達する。蓋が完全に取り除かれる場合、分離されるシール範囲がだんだん少なくなると、当然ながら力は急速に減少する。
【０１０７】
線２１４の曲線の形状は、使用者が先行技術のブリスターパックを開封しようとするときに直面する本当の問題を示している。彼らは、シールの最初の部分を開けるのに、シールが突破され始めるだけの大きな力を加えなければならず、もし彼らが加えている力を弱めることで迅速に反応しなければ、シールの残り部分は外れて、ブリスターパックは、もし流し台の上にしっかりと押さえ付けていなければひっくり返り、レンズを含水状態にしている溶液や、パッケージに収納されているレンズを投げ出してしまうことになる。使用者にこのことが起こると、彼らは、要する力をより容易に調整出来るように、揺り動かすような方法で蓋を引き外すことで、シールを開封することを身に付ける。
【０１０８】
細川洋行のラミネート（Ｈｏｓｏｋａｗａ  ｌａｍｉｎａｔｅ）の使用と、パッケージ２０１のシール導入部２１２との組合せは、力の曲線２２２を概して改善する。図１７２の右側に見られるように、シール２１０を開封し続けるのに要する力は、ピークの力２２４の狭い変域に留まる。力のピークは、シールの残りを開くのに必要とされる最小の力の１５０％を超えないことが好ましい。グラフに描かれるシール開封に要されるピーク圧２２４が、先行技術のブリスターパックを開封するのに要されるピーク圧２１６よりかなり少ないことは、留意すべきでる。発明のパッケージにおいて、パッケージのシール範囲の長さがかなり長いので、発明のパッケージのシールを開封するのに要する時間は、先行技術のブリスターパッケージを開封するのに必要な時間より長い。
【０１０９】
シールの開封に要する力は、シールの範囲及び形状と、互いに密封係合される材料と、そして、加熱密封加工が用いられる場合、シールの形成に加えられる温度及び圧との関数である。好ましいシールは約６バールの圧力と、約１秒から２．５秒のドエルタイムと、１８０℃から２００℃の間の温度とで形成される。シール範囲２０８と２１０の好ましい幅は、どちらも２ｍｍである。
【０１１０】
図１１８は、１つの実施例に基づくカートン８４の分解図を示す。カートンは、レトルトタイプの使い捨てパッケージのストリップ４１を収容する包８２と同じ包を多数収納している。また、その包は複数の個々のレトルトタイプの使い捨てパッケージ１８２を収容しても良い。この構成では、従来のパッケージに比べ単位当りの空間に多数レンズを収納できることがわかる。梱包密度の程度によるが、以前であればレンズパッケージ２つが収容されていたであろう空間に１０枚まで、可能性としては１０枚以上のレンズが収容され得る。
【０１１１】
記載されるレトルトタイプの使い捨てパッケージ１８２の形態は、好ましくはそれぞれソフトコンタクトレンズ１枚を有する。適当な挿絵や、制定法上の情報が、現在流布しているパッケージに類似した様式で外部面に施されてもよい。
【０１１２】
このレトルトタイプの使い捨てパッケージ１８２に収容されるレンズの保全性は、それを囲むパッケージ内の保存溶液の緩衝によって保たれる。レンズパッケージが手荒に扱われたり損傷を受けうる取り扱いを受けた場合、保存溶液は安全な緩衝物として作用し得る。現在流布しているブリスターパックは、かたどられた突出部つまり予備形成された堅いボートを使用することでレンズ保護の遮断物としている。しかしながら従来技術のブリスターパックはまつまみリスターパックの開口部を塞ぐのにアルミニウムホイルカバーを有している。その裏のないホイルに特別な保護性はなく、ホイルの側において、受ける荷重に対しより有効に対応する２枚の順応性のあるバリア層を有するレトルトタイプの使い捨てパッケージに比べ保護性は少ない。実際に、ブリスターパックのアルミニウムの外面は、ポリプロピレン製ボートにゆるみなく渡されているためより容易に穴が開けられる可能性がある。レトルトタイプの使い捨てパッケージは、本質的に柔軟であり、穴を開ける原因となる物体に合わせて動くことで穴が開けられる可能性を逸らす。
【０１１３】
レトルトパイプの使い捨てパッケージ１８２では、含水の維持をするのに必要最少量の保存液を備え、従来技術のパッケージと異なりレンズが保存液に浸ることは必要とされない。
【０１１４】
レトルトタイプの使い捨てパッケージ１８２の本発明に基づく１つの実施例では、製造の過程で、レンズを含水状態に維持する保存液やジェルを所定の最少量残して、過剰の含水維持用の流体は排除されうる。レトルトタイプの使い捨てパッケージ１８２における最善の密封性により内部空間からの蒸発はない。このパッケージバリア層の平坦度は、レンズがいずれかの内側面に付着するのを容易にするという利点となる。層が剥離され内部のレンズが現されたときレンズが内側面に付着されるので、開封の際にレンズがこぼれ落ちないことを確実にする。
【０１１５】
使い捨てレンズの製造は、レンズの包装に掛かる費用が低減され、密封の有効性とそれに伴う滅菌性が向上することでより費用効率は高まる。本発明の包装において、患者はよりレンズを使い捨て用品とみなすようになるであろう。更に、そのレンズの占める空間は、はるかにいっそう少なくなり、より興味をそそる方法で包装され得る。このタイプの包装の費用構成は消費者にとっても製造業者にとっても魅力的であるので、このタイプの包装は、特に１日使い捨てタイプのレンズに適している。
【０１１６】
様々な二次包装の８６の形態は、図１１９から図１６４に示される使い捨てパッケージで実施されうる。その使い捨てパッケージの長所は、様々な二次包装が選択できることである。更に、複数の使い捨てパッケージの包装に必要な空間は従来のブリスターパックに比べ遥かに少ない。例えば、図１１９と図１２０では使い捨てパッケージ１８７を３０枚収容する包装が示されている。カバーシート８８、例えば真空形成のＰＥＴなどで密封された６つの区画９０それぞれに５枚ずつの使い捨てパッケージ１８７が収容されている。図１２０に示されるように区画９０はカバーシート８８によって連接される。８６のような包装２個は、３０日分のコンタクトレンズ（即ち、総数６０枚のレンズ）を供給するよう結合され得る（図１２１）。この実施例では、３０日分の供給は、僅か２７０×６０×１２ｍｍの大きさで成される。９０日分のレンズの供給（図１２２）は、僅か２７０×１８０×１２ｍｍで成され、そして１８０日分の供給の包装（図１２３）は、２７０×２４０×２０ｍｍとされる。３０日、９０日、１８０日分のパックの寸法は下記のように変更され得るがそれらに限定されるものではない。３０日分を供給する包装は、３００×６０×１２ｍｍ、また２５５×６０×１３ｍｍ、又は２５０×６０×１３ｍｍ、若しくは２４５×６０×１３ｍｍ、また２４０×５５×１３ｍｍと成り得る。９０日分供給のパックは、３００×１８０×１２ｍｍまた２５５×１８０×１３ｍｍ、又は２５０×１８０×１３ｍｍ、若しくは２４５×１８０×１３ｍｍ、また２４０×１６５×１３ｍｍと成り得る。１８０日分供給のパックは、３００×２４０×２０ｍｍ、又は２５５×２４０×２０ｍｍ、２５０×２４０×２０ｍｍ若しくは２４５×２４０×２０ｍｍ、また２４０×２２０×２０ｍｍと成り得る。
【０１１７】
別の実施例の図１２４では、２個の使い捨てコンタクトレンズパッケージ用の二次包装１２４が図解されている。この実施例では、２個のコンタクトレンズパッケージが、約２インチに約３１／２インチ（約５０ｍｍに約９０ｍｍ）のほぼ名刺サイズの小形な二次包装に収容される。この実施例は特に旅行の際に有用である。
【０１１８】
図１２５Ａ及び図１２５Ｂに示される別の実施例は、それぞれに１０個の使い捨てパッケージ１８７を収容する３つの区画９０を有する、３０個の使い捨てパッケージ１８７用の二次包装８６ａである。区画９０は１枚のカバーシート８８により互いに連結されている。その包装８６ａは極めて小形でありその寸法は１３０×６０×１１ｍｍである。
【０１１９】
図１２６から図１３３及び図１３５から図１３６に示されるように、１つの実施例は、複数の使い捨てパッケージ１６３を有する手提げ容器且つ旅行用パック９１である。その中の使い捨てパッケージは、独立した使い捨てパッケージでもジグザグ形に折畳まれた使い捨てパッケージのストリップでもよい。旅行用パック９１は、透明な若しくは不透明な（図１３１）材料で作られる。旅行用パックは解除ボタン９３を押すと蓋８９がくるりと返ることで開かれ得る。旅行用パックは内側に鏡９４を有してもよく、それにより使用者は旅行中の如何なる場所や如何なるときにもコンタクトレンズを装着することが出来るようになる。更に、例えば旅行用パック９１が目の高さになるように、または安全な場所に仕舞うのにフックに掛ける（図１３０）など、旅行パックを吊るす手段として旅行パック９１に取っ手９２が備えられている。使い捨てパッケージ１６３は、図１２９に示されるように、スライドガイド９６が使い捨てパッケージ１６３の滑り落ちを防止することで旅行パック９１内に保持される。旅行パック９１ａの別の実施例では、使い捨てパッケージ１６３は図１３２に示されるように仕切り９８内に保持される、仕切りには随意でＬ（左）・Ｒ（右）の印１００が表示されてもよい。
【０１２０】
別の実施例では図１３３から図１３５に示されるように、二次包装は９０日分の使い捨てパッケージ１６３を供給する。図１３３と図１３４は９０日分容器の正面図、図１３５と図１３７は側面図である。９０日分容器１０４は、積み重ねられた使い捨てパッケージ１６３（独立したものかジグザグ形に折畳まれたストリップのどちらでもよい）と、上述の旅行用パック９１（図１３３）を随意で取付け可能なカバー１０２とを有している。図１３３と図１３５で示されるように、旅行用パック９１は９０日分容器１０４のカバー１０２に滑り嵌めし得る。更に、９０日分容器が空になった際、容器１０４はサングラスケースとして使うこともできる（図１３６）。旅行用パック９１をカバー１０２に取付けてもよく、そうすると旅行用パック９１とサングラスケース１０４の組合せが供給される。
【０１２１】
図１３７は、取出し可能なインサート１０８を有する９０日分容器１０４を図解している。カバー１０２を外した後、インサート１０８は、備え付けの取っ手１０９により９０日分容器１０４から引き上げられ得る。図１３７Ａに示されるように、例えば使用者が使い捨てコンタクトレンズパッケージ１６３を取り外す際などの、使用者が取っ手１０８を放すときに、滑り止めのゴム製ストッパー１１０は、インサート１０８が９０日分容器に滑り落ちるのを防止する。図１３８の実施例では、つまみ１１２が使い捨てパッケージ１６３の積重の間に一定の間隔を置いて備えられており、使用者に供給されるレンズが減っていくことを気付かせる。例えば、つまみ１１２ａ（図１３８Ａ）は、９０日分容器にコンタクトレンズの残量が僅か３０枚であることを知らせ得る。処方上の情報と同様に再注文の為の情報がつまみ１１２ｂ（図１３８Ｂ）には含まれており、使用者が追加のコンタクトレンズを購入するのを促す。また、つまみ１１２はコンタクトレンズの残量が僅か１０日分であることを知らせ得る。レンズの残量が１０日分と３０日分という例を用いたが、つまみ１１２はコンタクトレンズ使用者に有用であればどの間隔で配置されてもよい。
【０１２２】
図１３９に示される別の実施例では、使い捨てパッケージ１５６用の二次包装容器１１３は、高さの低い長方形の容器や箱である。二次包装容器１１３の高さは、その中の使い捨てパッケージ１５６が薄く嵩張らずに積重される為、さほど高い必要はない。集積された場合にも、容器１１３は、最小限の空間で複数の使い捨てパッケージ１５６を確実に収容する。また、二次容器１１３は、正方形、円形、楕円形やその他の複数の使い捨てパッケージ１５６の収容に適当な形とされてもよい。
【０１２３】
図１４０から図１４３に示される他の実施例では、使い捨てパッケージはホルダーシート１１４に取付けられ、その後、二次包装容器に収容される。複数の使い捨てパッケージ１８７が１枚のホルダーシート１１４に取付けられてもよく、同じホルダーシート上の使い捨てパッケージ１８７は全て単一の処方のレンズを収容する。使い捨てパッケージ１８７は、図１４０、図１４１に示されるように、円形の配置で取付けられてもよい。また、図１４２、図１４３のように使い捨てパッケージ１８７は、平行した列に配置されてもよい。製造、処方、規制や使用法など裏面１１６に随意で載せられ得る情報に加えて、ホルダーシートの表面１１５には随意で様々な挿絵が載せられてもよい。
【０１２４】
別の実施例では、図１４４から図１４８に示されるように、使い捨てパッケージ１８３はブリスタータイプのパッケージであり、積重され円形の二次包装に円形の配置で収容され得る。ブリスタータイプの使い捨てパッケージ１８３は適切にモールドされたプラスチック材料から成る。各ブリスタータイプの使い捨てパッケージは高さが薄く、その中のコンタクトレンズは平衡状態のコンタクトレンズ周縁部に対する湾曲外表面の高さより平らな状態で保持される。積重の際、ブリスタータイプの使い捨てパッケージはコンパクトに積重され占める空間は最小限となる。積重された使い捨てパッケージは、使い捨てパッケージの取り出しを容易にする開口した中央部１２０を有する二次包装容器の基部１１８に円形に配置され得る。この配置では、使用者にとって中央部開口１２０に指を掛け円形の二次包装容器１１８より１つまたは複数の使い捨てパッケージ１８３を取出すことは容易である。円形の二次包装は、確実に使い捨てパッケージ１８３をその中に収容するため基部１１８及び蓋１２２を有している。
【０１２５】
円形の二次包装１１８は、３０日分または９０日分のコンタクトレンズを収容し得る。あるいは（図１４９）、円形の二次包装１１８は、３０日から９０日の間分のコンタクトレンズかまたは、９０日から１８０日の間分のコンタクトレンズを収容し得る。
【０１２６】
別の実施例では、図１５０に示されるように、使い捨てパッケージ１８４は１つ以上の切欠きを有する角にまるみのある非対称な三角形である。この特殊な使い捨てパッケージ１８４は、図１５１に示されるように６つ以上が一対とされ円形の配置で円板２２３に収容され小さなつまみ１２６により保持され得る。
【０１２７】
図１５２から図１５４に示される他の実施例では、使い捨てパッケージ１８５は、ギターピックの形に似た角に丸みのある三角形である。使い捨てパッケージ１８５は留め具１２８によって円形の二次包装ホルダーシート１２４上に保持されている。従って、個々の使い捨てパケージ１８５は、シート１２４から滑らせることで容易に取り出され得る。複数の使い捨てパッケージホルダーシート１２４は、収納ケース１２３に収容され得る、収納ケースは１０個以上の使い捨てパッケージホルダーシート１２４を保持する。更に好ましくは、収納ケース１２３は２０個、３０個またはそれ以上の使い捨てパッケージホルダーシート１２４を保持できる。複数の使い捨てパッケージホルダーシート１２４を有する収納ケース１２３は、シート１２４の長穴１３０に組み合う細幅に開口するガイド１３１を有する。収納ケース１２３の蓋１２２もまた長穴１３３を有している。この長穴の溝１３３は、収納ケースの中央から周縁部に伸びているが、外周線上にまでは達していない。収納ケース１２３の蓋１２２は、基部１２１に取付けられた収納ケース１２３を差渡した蝶着部分１３２を有している。この蝶着部分は外周から中央に向けて持ち上げられる。また、スタンド１３６（図１５４）を備え、使い捨てパッケージホルダーシート１２４を有する収容ケース１２３が複数収容され得る。図示のように、スタンド１３６は、中央の延長部１３４を有する基部で、その延長部分は使い捨てパッケージホルダーシート１２４の長穴１３０と収納ケース１２３の開口ガイド１３１に差し入れられるようになっている。使い捨てパッケージホルダーシート１２４を有する１つ以上の収容ケース１２３がスタンド１３６に置かれた場合に、収容ケース１２３はガイド１３１の長さ沿いに水平にスライドされ得る。従って、図示のように、他の同種な収納ケース１２３の下に位置する収納ケース１２３は、スタンド１３６から取り外されなくとも引き出され得る。収納ケース１２３の収容物を取り出すことは、蓋１２２の蝶着部分１３２を開くことで容易に成され、その後収納ケース１２３はもとの状態に戻され得る。右目用と左目用両方のコンタクトレンズが同じスタンド１３６に収容されてもよい。例えば、左目用のコンタクトレンズを下側の収容ケースに収納し、右目用のコンタクトレンズを上側の収容ケースに収納できる。また、右目用と左目用のコンタクトレンズが交互になるように収納ケースを積んでもよい。１つの実施例では、現在使用中の収容ケースをスタンド１３６に積まれて収納される収容ケースの一番上にすることが好ましい。それは、各ホルダーシート１２４が空になったとき、そのシート１２４を収納ケース１２３から取り除き、複数の使い捨てパッケージ１８５を有する次のホルダーシート１２４を利用するのに、収容ケース１２３がスタンド１３６から取り外されなければならないからである。別の実施例では、ホルダーシート１２４の長穴１３０はシート１２４の外周線上まで伸びていてもよく、それによってスタンド１３６から収納ケース１２３を取り外す必要なく収納ケース１２３からシート１２４を取り出すことができる。
【０１２８】
図１５５に示される他の実施例では、円形の使い捨てパッケージ１８６はアイマスク様の形状をした二次包装１４５に保持される。複数の使い捨てパッケージは包装１４５のそれぞれの区画１４１、１４３に保持され得る。この実施例の使い捨てパッケージ１８６は、半円形の窪み１４０を有する。この窪み１４０は使用者が使い捨てパッケージ１８６を掴む場所とされ、使い捨てパッケージは二次包装１４５から取り外される。アイマスクの形状の包装１４５は、透明もしくは不透明とされ得、左・右の印を表示してもよい。
【０１２９】
図１５６、図１５７は、その上に２つ使い捨てパッケージ１８５を有する別の実施例のカード１４２示している。使い捨てパッケージ１８５は留め具１２８により使い捨てパッケージ収容カード１４２上に固定される。この実例では、カード１４２は角に丸みをもった三角形の使い捨てパッケージ１８５が２つを保持する。しかしながら、使い捨てパッケージ１８５の形状及びその数量は変更することが出来る。この例の使い捨てパッケージは使い捨てパッケージ収容カードに留め具を介して取り付けられているが、また例えば接着剤や使い捨てパッケージの角を差し込む差込用の溝のような他の形態によって取り付けられてもよい。
【０１３０】
好都合なことに、２つの使い捨てパッケージ１８５を留めつけられたカード１４２は、１枚の左目用使い捨てレンズと１枚の右目用使い捨てレンズを保持し得る。従って、カード１４２がほぼ名刺の大きさであるため、１日分のレンズを小さなバッグや札入れやポケットに入れて容易にかさばらずに持ち運ぶ事が出来る。随意で、２つの使い捨てパッケージを収容したカード１４２複数は、使用者への配達用の容器に収められてもよい。その容器は、１０日分、２０日分、３０日分、９０日分、１８０日分のレンズを収容し得る。
【０１３１】
図１５８、図１５９は、使い捨てパッケージ１８７に実施可能な、図１４６の二次包装のバリエーションを図解している。使い捨てパッケージ１８７の変化形は最小限の空間を要する形態に嵩張らずに収容される。図１５８では、６つの使い捨てパッケージ１８７が、円形のホルダーシート２４８に取り付けられている。図１５９では、６つの使い捨てパッケージ１８７が長方形のホルダーシート２４９に取り付けられている。ホルダーシート２４８と２４９はどちらも、図１４６の開口１２０のような中央開口部を有しており、使用者が１つのパッケージ１８７をホルダーシートから取り外せるようにしている。
【０１３２】
図１６０を参照すると、二次包装容器２５０は複数の円形の使い捨てパッケージ１８８を備える。円形の使い捨てパッケージには、外周が内方向に縮められた部分があり開口１４６が形成されており、留め具１４７にはめ込ませるようにでき使い捨てパッケージを定位置に保持できる。図１６１の収納スタンド１４４は、基部とその基部にほぼ直角とされる壁状部を有している。複数の円形の使い捨てパッケージは、図１６０の二次包装容器２５０から移動されて、９０日分のコンタクトレンズの収納用にスタンド１４４に留めつけられたり嵌め込まれたり出来る。使い捨てパッケージ１８８は必要に応じてスタンド１４４から取り外され得る。図示のようにこの実施例では、スタンド１４４は使い捨てパッケージ１８８の積重ね２つを有する。そのために、１つの積重ねには左目用に処方されたコンタクトレンズを収納した使い捨てパッケージ１８８を、もう１つの積重ねには右目用のコンタクトレンズを収納した使い捨てパッケージを収容することが出来る。スタンドは、再利用しても使い捨てとしてもよく、９０日分より少ない又は多いレンズを収容し得る。
【０１３３】
図１６２は、配送用容器である。複数の使い捨てパッケージ１９０は、実際には上述したパッケージの実施例のどれでもが、出荷のために包１４８に収容され得る。包１４８は、クッションとなる窒素ガスで満たされ密封されたアルミニウムコーティングの袋であることが好ましい。パッケージ１９０はシートに付着されても、またはパッケージそのものがパッケージより大きな二次包装シート１２４上のミシン目を入れられた一部分とされてもよい。
【０１３４】
図１６３、図１６４には、使い捨てパッケージのディスペンサーが図示される。ディスペンサー１５０は両端が開き、使い捨てパッケージ１８９が取り出される。例えば、一方の端からは、左目用のコンタクトレンズを収納する使い捨てパッケージ１８９が取り出され、反対の端からは、右目用のコンタクトレンズを収納する使い捨てパッケージ１８９が取り出される。ディスペンサー１５０は、筒状とされ、その中の使い捨てパッケージ１８９が、蓋１５２が開かれた際、取り出し部１５４に押し出されディスペンサー１５０から滑り出ることにより取り出しが容易となるような角度をもって積重されている。蓋１５２には、左及び右の印や処方情報などが表示されてもよい。このディスペンサー１５０は、補充しての利用も使い捨ても可能である。
【０１３５】
複数の使い捨てコンタクトレンズパッケージ２５８を収容する収納容器２５２が図１６５に示される。収納容器２５２は、蓋２５４と収納部２５６とを有する。使い捨てコンタクトレンズパッケージ２５８は、積み重ねられたスプーンの如く、相互に合わされるように収納部２５６内に積み重ねられる。すなわち、互いの上に載って重ねられるとき、第１の使い捨てコンタクトレンズパッケージ２５８の凸面２６０が、第２の使い捨てコンタクトレンズパッケージ２６４の凹面２６２に載る。
【０１３６】
ここに遍く述べられた本発明は、当業技術者によってその意図や範囲から逸脱することなしに、様々な変更や改良が成され得る。例えば、ここに考察された材料は高圧滅菌に耐えうるものであるが、他の滅菌方法が利用される場合には、その他の材料が使用されることがある。
【図面の簡単な説明】
【０１３７】
【図１】代表的な従来技術の使い捨てブリスターコンタクトレンズパッケージの平面図である。
【図２】中のコンタクトレンズを取り出せるように蓋を剥いだ図１のパッケージの側面図である。
【図３】部分的に開けられた図２のパッケージの斜視図である。
【図４】２つの同一な従来技術のコンタクトレンズパッケージを積み重ねた状態を示す側面図である。
【図５】図４のように複数のブリスターパックを積み重ね、カートンに収容した斜視図である。
【図６】本発明の第１の実施例に基づく使い捨てパッケージの斜視図であり、開けられ、底部シートに形成されるエンボス加工された凸状湾曲部が示されている。
【図７】本発明の第２の実施例に基づく図６の実施例に類似した使い捨てパッケージの斜視図であるが、エンボス加工された凹状湾曲部は上部シートに形成される。
【図８】図６の使い捨てパッケージの横断面図である。
【図９】図７の使い捨てパッケージの横断面図である。
【図１０】図６〜図９の使い捨てパッケージで使用可能なエンボス加工の一例の抽象的図柄である。
【図１１】図６〜図９の使い捨てパッケージで使用可能なエンボス加工の一例の格子柄である。
【図１２】図６〜図９の使い捨てパッケージで使用可能なエンボス加工の一例でロゴを柄としたものである。
【図１３】２つの異なった透明な素材から成る使い捨てパッケージの斜視図であり、コンタクトレンズを収容する凹部を有するパッケージの開け方を示している。
【図１４】２つの類似した不透明な素材から成る使い捨てパッケージの斜視図であり、コンタクトレンズを収容する凹部を有するパッケージの開け方を示している。
【図１５】本発明の別の実施例に基づく使い捨てパッケージが部分的に開けられ、サポート部材を有することを示す斜視図である。
【図１６】図１５の使い捨てパッケージの分解側面図である。
【図１７】図１５の使い捨てパッケージの分解斜視図である。
【図１８】網目状部分を有する図１５の別の実施例の分解斜視図である。
【図１９】涙形の形状とされた図１５の使い捨てパッケージの平面図である。
【図２０】８の字形の形状とされた図１５の使い捨てパッケージの平面図である。
【図２１】非対称な涙形の形状とされた図１５の使い捨てパッケージの平面図である。
【図２２】本発明の別の実施例に基づく使い捨てパッケージの平面図であり、ホイルのカバーを有するコンタクトレンズ用の第１空間と、キャップの付いた水和媒体用の第２空間を示す。
【図２３】コンタクトレンズを封入するカバーの無い、図２２の使い捨てパッケージの平面図である。
【図２４】ホイルのカバーを有するコンタクトレンズ用の第１空間と、キャップの付いた水和媒体用の第２空間とを有する涙形使い捨てパッケージの平面図である。
【図２５】コンタクトレンズを封入するカバーの無い、図２４の使い捨てパッケージの平面図である。
【図２６】カバーが剥がされていない状態の、図２２の使い捨てパッケージの側面図である。
【図２７】カバーが部分的に剥がされた状態の、図２２の使い捨てパッケージの側面図である。
【図２８】カバーが剥がされているところを示す、図２２の使い捨てパッケージの斜視図である。
【図２９】本発明の別の実施例に基づくカバーのあるコンタクトレンズ用の第１空間と、溝のある水和媒体用の第２空間とを有する使い捨てパッケージの平面図である。溝は、使い捨てパッケージから水和媒体用の第２空間が分断されると、水和媒体を排出する用途を持つ。
【図３０】カバーが剥がされた状態の、図２９の使い捨てパッケージの平面図である。
【図３１】カバーが部分的に剥がされているところを示す、図２９の使い捨てパッケージの斜視図である。
【図３２】図２９の使い捨てパッケージの側面図である。
【図３３】カバーが部分的に剥がされた状態の、図２９の使い捨てパッケージの側面図である。
【図３４】図３０の使い捨てパッケージの斜視図であり、第１空間と第２空間が切り離され、水和媒体が排出されているところを示している。
【図３５】本発明の別の実施例に基づく使い捨てパッケージの平面図であり、コンタクトレンズ用の第１空間及び水和媒体用の第２空間を覆うホイルのカバーを有している。
【図３６】コンタクトレンズを封入するカバーの無い、図３５の使い捨てパッケージの平面図である。
【図３７】カバーが第１空間から剥がされた状態の、図３５の使い捨てパッケージの側面図である。
【図３８】カバーが第１空間及び第２空間から剥がされた状態の、図３５の使い捨てパッケージの側面図である。
【図３９】カバーが第２空間から剥がされ始めた状態の、図３５の使い捨てパッケージの側面図である。
【図４０】図３５の使い捨てパッケージの斜視図であり、カバーが第１空間と第２空間のいずれかから剥がされている状態を示す。
【図４１】第１空間と第２空間を有する２つの使い捨てパッケージが、破断の容易な接合部分で連結されている状態の平面図である。
【図４２】カバーの無い状態の、図４１の使い捨てパッケージの平面図である。
【図４３】図４２の使い捨てパッケージの斜視図であり、コンタクトレンズを収容した第１空間からカバーが剥がされている状態を示す。
【図４４】コンタクトレンズを収容し、カバーが剥がされていない状態の、図４２の使い捨てパッケージの側面図である。
【図４５】コンタクトレンズが平衡状態にあり、カバーが剥がされた状態の、図４２使い捨てパッケージの側面図である。
【図４６】従来技術のブリスターパックの側面図であり、その中のコンタクトレンズが折り曲がっている状態を示す。
【図４７】従来技術のブリスターパックの側面図であり、その中のコンタクトレンズが側面に付着した状態を示す。
【図４８】従来技術のブリスターパックの側面図であり、その中のコンタクトレンズが逆さまになった状態を示す。
【図４９Ａ】小袋タイプの使い捨てパッケージの分解斜視図である。
【図４９Ｂ】図４９Aの使い捨てパッケージの横断面図である。
【図５０Ａ】ポリプロピレンとホイル製の使い捨てパッケージの分解斜視図である。
【図５０Ｂ】図５０Aの使い捨てパッケージの横断面図である。
【図５１Ａ】ポリプロピレン製の使い捨てパッケージの分解斜視図である。
【図５１Ｂ】図５１Aの使い捨てパッケージの横断面図である。
【図５２】本発明の別の実施例に基づく使い捨てパッケージの側面図であり、パッケージのコンタクトレンズ収納空間の深さを示す。
【図５３】コンタクトレンズを載せる島状の隆起を有する使い捨てパッケージの平面図である。
【図５４】図５３の使い捨てパッケージの５４−５４線断面図であり、コンタクトレンズが島状の隆起に載っている状態を示す。
【図５５】図５３の使い捨てパッケージの５５−５５線断面図であり、コンタクトレンズが島状の隆起に載っている状態を示す。
【図５６】つまみ部分に切り抜きがされた、涙形のポリプロピレン製サポート部材の平面図である。
【図５７】サポート部材が不透明な図５６の使い捨てパッケージの横断面図である。
【図５８】図５７に類似の横断面図であるが、カバーが剥離している。
【図５９】図５６のサポート部材を有する使い捨てパッケージの平面図である。
【図６０】図５６のサポート部材を有する使い捨てパッケージ裏面の平面図である。
【図６１】使い捨てパッケージに使用されるポリプロピレン製スプリングディスクの１つの実施例における平面図である。
【図６２】使い捨てパッケージに使用されるポリプロピレン製スプリングディスクの第２の実施例における平面図である。
【図６３】第３の実施例のポリプロピレン製スプリングディスクを有し、コンタクトレンズを収容した使い捨てパッケージの内側を示す平面図である。
【図６４】図６３に示されたパッケージに類似の別の使い捨てパッケージの断面図であり、平らな状態とされたポリプロピレン製のスプリングディスクとコンタクトレンズとを示す。
【図６５】易開封の為にホイルの両側に刻設がなされた図６３の使い捨てパッケージの正面の平面図である。
【図６６】図６３の使い捨てパッケージの裏面の平面図である。
【図６７】図６３の使い捨てパッケージの断面図であり、パッケージの中でコンタクトレンズとポリプロピレン製スプリングディスクとが平らな形状とされている状態を示す。
【図６８】カバーが剥がされ始め、スプリングディスクとコンタクトレンズとが平衡状態にある、図６３の使い捨てパッケージの断面図である。
【図６９】第４の実施例のスプリングディスクを有する使い捨てパッケージの構造を示す分解斜視図である。
【図７０Ａ】第５実施例のスプリングディスクの平面図である。
【図７０Ｂ】図７０Ａの実施例の側面図であり、スプリングディスクとコンタクトレンズが平らな状態にある様を示す。
【図７０Ｃ】図７０Ａの実施例の側面図であり、スプリングディスクとコンタクトレンズが平衡状態にある様を示す。
【図７１】第６実施例のスプリングディスクの平面図である。
【図７２】第７実施例のスプリングディスクの平面図である。
【図７３】第８実施例のスプリングディスクの平面図である。
【図７４】第９実施例のスプリングディスクの平面図である。
【図７５】第１０実施例のスプリングディスクの平面図である。
【図７６】第１１実施例のスプリングディスクの平面図である。
【図７７】第１２実施例のスプリングディスクの平面図である。
【図７８】第１３実施例のスプリングディスクの平面図である。
【図７９】第１４実施例のスプリングディスクの平面図である。
【図８０】第１５実施例のスプリングディスクの平面図である。
【図８１】第１６実施例のスプリングディスクの平面図である。
【図８２】第１７実施例のスプリングディスクの平面図である。
【図８３】第１８実施例のスプリングディスクの平面図である。
【図８４】第１９実施例のスプリングディスクの平面図である。
【図８５】第２０実施例のスプリングディスクの平面図である。
【図８６】図７０Aの使い捨てパッケージの斜視図であり、スプリングディスクにコンタクトレンズが載っている状態を示す。
【図８７】密封された使い捨てパッケージの別の実施例で、平らな状態のコンタクトレンズとスプリングディスクの断面図である。
【図８８】コンタクトレンズとスプリングディスクとが平衡状態にある、カバーを取り外した図８７の使い捨てパッケージの断面図である。
【図８９Ａ−Ｅ】コンタクトレンズとスプリングディスクを有した使い捨てパッケージの斜視図であり、コンタクトレンズが人差し指先端に載るように人差し指でスプリングディスクを押し分け、そして、コンタクトレンズを目に装着しうるよう人差し指が開いている使い捨てパッケージを貫通している状態を説明する。
【図９０】破断用切込を有した楕円形の使い捨てパッケージの平面図である。
【図９１】スプリングディスクとその中のコンタクトレンズとを示す為、カバーが取り外された図９０の使い捨てパッケージの平面図である。
【図９２】破断用切込を有し、二辺に丸みのついた長方形の使い捨てパッケージの平面図である。
【図９３】ヒンジ式剥離タイプのカバーを有した楕円形の使い捨てパッケージの平面図である。
【図９３Ａ】ヒンジ式カバーが開かれた状態を示す、図９３の使い捨てパッケージの斜視図である。
【図９４】非対称涙形で、その幅の狭い側の端部に破断用切り欠きを有した使い捨てパッケージの平面図である。
【図９５】図９４の使い捨てパッケージが２つ一緒に収納されている状態をしめす平面図である。
【図９６】破断用切り欠きを有する角形小袋タイプの使い捨てパッケージの平面図である。
【図９７】切取り端部と、それを目に付き易くする切り離しタブとを有した、角部に丸みのある角形小袋タイプの使い捨てパッケージの平面図である。
【図９８】半月形切取り端部を有する、半分を楕円形、半分を角部に丸みのある角形とした小袋タイプの使い捨てパッケージの実施例の平面図である。
【図９９】指形切取り端部を有し、角部に丸みのある角形をした小袋タイプの使い捨てパッケージの平面図である。
【図１００】２つの図９９の小袋タイプの使い捨てパッケージの平面図であり、互いの指形切取り端部が組み合わさっている状態を示す。
【図１０１】中のコンタクトレンズを見せるためカバーが剥離された、二重曲線形の使い捨てパッケージの斜視図である。
【図１０２】複数調和して積み重ねられた図１０１の使い捨てパッケージの斜視図である。
【図１０３】成形使い捨てパッケージの斜視図であり、プルトップが剥離され開かれ、中の空間及びコンタクトレンズとが見れる状態を示す。
【図１０４】プルトップタイプの使い捨てパッケージの1つの実施例の斜視図であり、つまみ部の詳細を示す。
【図１０５】図１０４の使い捨てパッケージの斜視図であり、中のコンタクトレンズを見せる為、頂部が引き剥がされ基部が曲げられている状態を示す。
【図１０６】カバーと基部とが持ち上げられた状態の使い捨てパッケージの分解斜視図である。
【図１０７】カバーと基部とが持ち上げられた状態の図１０６の使い捨てパッケージの斜視図である。
【図１０８】頂部カバーを開く為の尖りを有する１つの実施例に基づく使い捨てパッケージの斜視図である。
【図１０９】頂部カバーが開かれた状態の、図１０８の使い捨てパッケージの斜視図である。
【図１１０】ポリプロピレン製スプリングディスクと開封用端部タブとを有した使い捨てパッケージの断面図である。
【図１１１】図１１０の使い捨てパッケージの断面斜視図であり、開封用端部タブが折られている状態を示す。
【図１１２】図１１１の実施例に基づくポリプロピレン製スプリングディスクとその上に載ったコンタクトレンズとの斜視図である。
【図１１３】図１１０の使い捨てパッケージの断面図であり、開封用端部タブが折られホイルカバーが剥離されて、ポリプロピレン製ディスクとコンタクトレンズとが平衡状態に戻った様子を示す。
【図１１４】本発明の１つの実施例に基づくレトルトタイプ使い捨てパッケージの斜視図である。
【図１１５】シートが剥がされコンタクトレンズが見える状態の図１１４のレトルトタイプ使い捨てパッケージの斜視図である。
【図１１６】レトルトタイプ使い捨てパッケージが連ねられたストリップの平面図である。
【図１１７】水和媒体収容容器を有する図１１６のレトルトタイプ使い捨てパッケージが連ねられたストリップの平面図である。
【図１１８】複数のレトルトタイプ使い捨てパッケージを収容し、レトルトタイプの使い捨てパッケージのストリップを収容した包みを多数収納した二次包装に包装された包みの分解斜視図である。
【図１１９】別れた６つの区画にそれぞれ５枚ずつ積重された使い捨てパッケージ収納した二次包装の平面図である。
【図１２０】図１１９の二次包装の断面図である。
【図１２１】図１１９の二次包装が２箱、それぞれの頂部で積重された状態を示す斜視図であり、両眼に対し３０日分の１日使い捨てタイプのコンタクトレンズが収容されていることを示す。
【図１２２】図１１９の二次包装６箱の斜視図であり、両眼に対し９０日分の１日使い捨てタイプのコンタクトレンズが収容されていることを示す。
【図１２３】図１１９の二次包装１２箱の斜視図であり、両眼に対し１８０日分の１日使い捨てタイプのコンタクトレンズが収容されていることを示す。
【図１２４】２つの使い捨てパッケージを有する旅行用パックの平面図である。
【図１２５Ａ】別の実施例に基づく、それぞれに１０枚ずつ積重された使い捨てパッケージを収容した３つの区画を有する二次包装の平面図である。
【図１２５Ｂ】図１２５Aの二次包装の断面図である。
【図１２６】複数の使い捨てパッケージ仕様の透明な旅行用容器の平面図である。
【図１２７】図１２６の旅行用容器の前面立面図である。
【図１２８】図１２６の旅行用容器の側面立面図である。
【図１２９】図１２６の旅行用容器の平面図であり、複数の使い捨てパッケージとそれらパッケージの滑り落ち防止用のスライドガイドと鏡とを有する内部の様子を示している。
【図１３０】図１２９の開かれた状態の旅行用容器の側面立面図であり、フックに旅行用容器を吊るす方法を示している。
【図１３１】不透明な素材から成る点を除いて、図１２６に類似の旅行用容器の平面図である。
【図１３２】別の実施例に基づく図１２９の旅行用容器の平面図であり、左側に“L”右側に“R”としるされた使い捨てパッケージの滑り落ち防止用の固着ガイドを有している。
【図１３３】両眼に対し９０日分となるコンタクトレンズ用使い捨てパッケージを収納可能な容器と、そのパッケージに取り付けられた旅行用容器との正面図である。
【図１３４】旅行用容器が取り付けられていない図１３３の９０日分容器の正面図である。
【図１３５】図１３３の９０日分容器の側面の側面立体図であり、旅行用容器が９０日分容器のカバーに滑り嵌められうる事を示している。
【図１３６】図１３３の旅行用容器を取り付けられた９０日分容器の側面立体図であり、全ての使い捨てパッケージが取り除かれた場合に、９０日分容器がサングラスケースとして使用可能であることを示している。
【図１３７】図１３４の９０日分容器の側面立体図であり、９０日分容器のカバーを外すと、差し入れられている使い捨てパッケージを取っ手の使用で引き上げ、引き出しうる事を示している。
【図１３７Ａ】差し入れられている使い捨てパッケージが９０日分容器の中に滑り落ちることを防止するためのゴム製ストッパーの分解斜視図である。
【図１３８】９０日分容器の背面の側面立面図であり、つまみと引き上げ出されている使い捨てパッケージの連ねられたストリップを示している。
【図１３８Ａ】９０日分容器で、コンタクトレンズの残数が僅か３０枚となった事と、処方と再注文の為の情報とが示されたつまみの平面図である。
【図１３８Ｂ】９０日分容器で、コンタクトレンズの残数が僅か１０枚となった事と、処方と再注文の為の情報とが示されたつまみの平面図である。
【図１３９】複数の使い捨てパッケージを収容した二次包装の斜視図である。
【図１４０】複数の使い捨てパッケージが環状に配置されるホルダーシート正面の平面図である。
【図１４１】図１４０のシート状ホルダー背面の平面図である。
【図１４２】複数の使い捨てパッケージが平行した２列に配置されるホルダーシート正面の平面図である。
【図１４３】図１４２のホルダーシート背面の平面図である。
【図１４４】本発明の別の実施例に基づく、ブリスタータイプ使い捨てパッケージの平面図である。
【図１４５】積重した図１４４のブリスタータイプ使い捨てパッケージの側面立面図である。
【図１４６】図１４４のブリスタータイプ使い捨てパッケージを複数、環状に配置する二次包装の平面図である。
【図１４７】蓋付の図１４６の二次包装の分解斜視図である。
【図１４８】３０日分のコンタクトレンズを収容した図１４７の二次包装の断面図である。
【図１４９】９０日分のコンタクトレンズを収容した図１４７の類似の別の実施例に基づく二次包装の断面図である。
【図１５０】本発明の別の実施例に基づく、角に丸みのある非対称な三角形をした使い捨てパッケージの平面図である。
【図１５１】環状に配置された図１５０の使い捨てパッケージ６個の組合せの平面図である。
【図１５２】ドーナツ形の使い捨てパッケージホルダーシートの平面図である。
【図１５３】円筒形の収納ケースに配置された複数のホルダーシートの分解斜視図である。
【図１５４】図１５３の収納ケースを複数収容するスタンドの斜視図である。
【図１５５】別の実施例に基づく二次包装の斜視図であり、アイマスクの形状と、本発明の使い捨てパッケージを複数収容した状態とを示す。
【図１５６】携帯至便な、シートに留めつけられた２つの使い捨てパッケージの平面図である。
【図１５７】角に丸みのある三角形をした、本発明に基づく別の使い捨てパッケージの平面図である。
【図１５８】本発明の別の実施例の平面図であり、３０日分の楕円形使い捨てパッケージが二次包装に環状に配置され収容された状態を示す。
【図１５９】本発明の別の実施例の平面図であり、３０日分の楕円形使い捨てパッケージが長方形の二次包装に平行の２列に配置され収容された状態を示す。
【図１６０】複数の使い捨てパッケージを配送する為の二次包装ボックスの斜視図である。
【図１６１】円形の使い捨てパッケージを９０日分収容するスタンドの斜視図である。
【図１６２】本発明の１つの実施例に基づく配送用容器の斜視図であり、複数の使い捨てパッケージを収容したアルミニウム塗被の包みから成る。
【図１６３】本発明の１つの実施例に基づく、使い捨てパッケージのディスペンサーの斜視図である。
【図１６４】図１６３の使い捨てパッケージディスペンサーの斜視図であり、一端が開かれ、使い捨てパッケージが取り出された状態を示す。
【図１６５】本発明の１つの実施例に係る、収納容器と、その中に積重ねられた複数の使い捨てコンタクトレンズパッケージとの側面立面図である。
【図１６６】角に丸みをもった長方形とされた本発明の別の使い捨てパッケージの平面図である。
【図１６７】パッケージ内の密封範囲を示している図１６６の使い捨てパッケージの平面図である。
【図１６８】配置されているスプリングディスクを示す図１６６の使い捨てパッケージの平面図であり、パッケージの上側のシートが取除かれている。
【図１６９】パッケージが開かれ始めたところを示す図１６６の使い捨てパッケージの斜視図である。
【図１７０】パッケージが全開されたところを示す図１６６の使い捨てパッケージの斜視図である。
【図１７１】図１６６の使い捨てパッケージを形成するのに使用されるラミネートの図１７０の１７１−１７１線断面図である。
【図１７２】従来技術のブリスターパックと、図１６６に示されるような典型的使い捨てパッケージとを開封する力の標準的なトレースを示すグラフである。
【符号の説明】
【０１３８】
１              ブリスターコンタクトレンズパッケージ
２              ブリスターパック部
３              薄膜
４              コンタクトレンズ
５              凹部
６              フランジ
７              保存液
１０            コンタクトレンズパッケージ
１１            コンタクトレンズパッケージ
１２            ブリスターパック
１３            カートン
１４            シート材料
１４ａ          上側シート
１５            シート材料
１６            エンボス加工
１６ａ          エンボス加工面
１８            使い捨てパッケージ
１９ａ          湾曲部
２０            サポート部材
２０ａ          サポート部材
２１            取っ手
２２            網目状材料
２４            切り抜き
２６            カバー
２７            ブリスターパック
３０            キャップ
３１            連接部
３２            第２空間
３４            第１空間
３５            保存液用パック
４０            破断用切り欠き
４１            ストリップ
４２            突出部
４３            凹部
４４            浮彫り
４５            浮彫り
４６            スプリングディスク
４６ａ−ｔ      スプリングディスク
４７            カバー材料
４８            保存液
５０            基部
５１            突出部
５２            ヒンジ部
５３            切り取り端部
５３´            基部
５５            中部分
５６            取っ手
５８            プルトップタイプカバー
６０            カバーシート
６２            端部
６４            タブ
６６            端部
６８            端部
７０            端部
７２            端部
７４            内部空間
７６            連接部
７８            使い捨てパッケージ
８０            使い捨てパッケージ
８２            包
８４            カートン
８６            二次包装
８６ａ          二次包装
８８            カバーシート
８９            蓋
９０            区画
９１            旅行用パック
９１ａ          旅行用パック
９２            取っ手
９３            解除ボタン
９４            鏡
９６            スライドガイド
９８            仕切り
１００          印
１０２          カバー
１０４          容器
１０８          インサート
１０９          取っ手
１１０          ゴム製ストッパー
１１２ａ−ｑ    タブ
１１３          二次包装
１１４          ホルダーシート
１１５          表面
１１６          裏面
１１８          使い捨てパッケージ
１２０          中央部開口
１２２          蓋
１２３          収納ケース
１２４          二次包装
１２６          タブ
１２７          ヒンジ
１２８          留め具
１３０          長穴
１３１          開口ガイド
１３２          蝶着部分
１３３          長穴の溝
１３６          スタンド
１４０          窪み
１４１          区画
１４２          カード
１４３          区画
１４４          スタンド
１４５          包装
１４６          開口
１４７          留め具
１４８          包
１５０          分配用容器
１５２          蓋
１５４          取り出し部
１５６          使い捨てパッケージ
１６０          使い捨てパッケージ
１６１          使い捨てパッケージ
１６２          使い捨てパッケージ
１６３          使い捨てパッケージ
１６４          使い捨てパッケージ
１６５          小袋タイプ使い捨てパッケージ
１６８          コンタクトレンズ
１６９          使い捨てパッケージ
１７０          使い捨てパッケージ
１７１          使い捨てパッケージ
１７３          使い捨てパッケージ
１７５          使い捨てパッケージ
１７６          使い捨てパッケージ
１７７          使い捨てパッケージ
１７８          使い捨てパッケージ
１８０          使い捨てパッケージ
１８１          使い捨てパッケージ
１８２          使い捨てパッケージ
１８３          使い捨てパッケージ
１８４          使い捨てパッケージ
１８５          使い捨てパッケージ
１８６          使い捨てパッケージ
１８７          使い捨てパッケージ
１８８          使い捨てパッケージ
１８９          使い捨てパッケージ
１９２          使い捨てパッケージ
１９３          使い捨てパッケージ
２０１          使い捨てパッケージ
２０２          上側シート
２０３          ラミネート材料
２０４          底側シート
２０５          内側層
２０６          スプリングディスク
２０７          第２の層
２０８          シール
２０９          第３の層
２１０          ピールシール
２１１          第４の層
２１２          導入部
２１３          最も外側の層
２１４          手前側
２１６          ピーク
２１８          低領域
２２０          第２のピーク
２２２          力の曲線
２２３          円板
２２４          力のピーク
２４８          ホルダーシート
２４９          ホルダーシート
２５０          二次包装容器
２５１          外周部
２５２          収納容器
２５４          蓋
２５５          垂直エッジ
２５６          収納部
２５８          使い捨てコンタクトレンズパッケージ
２６０          凸面
２６２          凹面
２６４          使い捨てコンタクトレンズパッケージ
【図１】
0003716994.tif 000002
【図２】
0003716994.tif 000003
【図３】
0003716994.tif 000004
【図４】
0003716994.tif 000005
【図５】
0003716994.tif 000006
【図６】
0003716994.tif 000007
【図７】
0003716994.tif 000008
【図８】
0003716994.tif 000009
【図９】
0003716994.tif 000010
【図１０】
0003716994.tif 000011
【図１１】
0003716994.tif 000012
【図１２】
0003716994.tif 000013
【図１３】
0003716994.tif 000014
【図１４】
0003716994.tif 000015
【図１５】
0003716994.tif 000016
【図１６】
0003716994.tif 000017
【図１７】
0003716994.tif 000018
【図１８】
0003716994.tif 000019
【図１９】
0003716994.tif 000020
【図２０】
0003716994.tif 000021
【図２１】
0003716994.tif 000022
【図２２】
0003716994.tif 000023
【図２３】
0003716994.tif 000024
【図２４】
0003716994.tif 000025
【図２５】
0003716994.tif 000026
【図２６】
0003716994.tif 000027
【図２７】
0003716994.tif 000028
【図２８】
0003716994.tif 000029
【図２９】
0003716994.tif 000030
【図３０】
0003716994.tif 000031
【図３１】
0003716994.tif 000032
【図３２】
0003716994.tif 000033
【図３３】
0003716994.tif 000034
【図３４】
0003716994.tif 000035
【図３５】
0003716994.tif 000036
【図３６】
0003716994.tif 000037
【図３７】
0003716994.tif 000038
【図３８】
0003716994.tif 000039
【図３９】
0003716994.tif 000040
【図４０】
0003716994.tif 000041
【図４１】
0003716994.tif 000042
【図４２】
0003716994.tif 000043
【図４３】
0003716994.tif 000044
【図４４】
0003716994.tif 000045
【図４５】
0003716994.tif 000046
【図４６】
0003716994.tif 000047
【図４７】
0003716994.tif 000048
【図４８】
0003716994.tif 000049
【図４９Ａ】
0003716994.tif 000050
【図４９Ｂ】
0003716994.tif 000051
【図５０Ａ】
0003716994.tif 000052
【図５０Ｂ】
0003716994.tif 000053
【図５１Ａ】
0003716994.tif 000054
【図５１Ｂ】
0003716994.tif 000055
【図５２】
0003716994.tif 000056
【図５３】
0003716994.tif 000057
【図５４】
0003716994.tif 000058
【図５５】
0003716994.tif 000059
【図５６】
0003716994.tif 000060
【図５７】
0003716994.tif 000061
【図５８】
0003716994.tif 000062
【図５９】
0003716994.tif 000063
【図６０】
0003716994.tif 000064
【図６１】
0003716994.tif 000065
【図６２】
0003716994.tif 000066
【図６３】
0003716994.tif 000067
【図６４】
0003716994.tif 000068
【図６５】
0003716994.tif 000069
【図６６】
0003716994.tif 000070
【図６７】
0003716994.tif 000071
【図６８】
0003716994.tif 000072
【図６９】
0003716994.tif 000073
【図７０Ａ】
0003716994.tif 000074
【図７０Ｂ】
0003716994.tif 000075
【図７０Ｃ】
0003716994.tif 000076
【図７１】
0003716994.tif 000077
【図７２】
0003716994.tif 000078
【図７３】
0003716994.tif 000079
【図７４】
0003716994.tif 000080
【図７５】
0003716994.tif 000081
【図７６】
0003716994.tif 000082
【図７７】
0003716994.tif 000083
【図７８】
0003716994.tif 000084
【図７９】
0003716994.tif 000085
【図８０】
0003716994.tif 000086
【図８１】
0003716994.tif 000087
【図８２】
0003716994.tif 000088
【図８３】
0003716994.tif 000089
【図８４】
0003716994.tif 000090
【図８５】
0003716994.tif 000091
【図８６】
0003716994.tif 000092
【図８７】
0003716994.tif 000093
【図８８】
0003716994.tif 000094
【図８９Ａ】
0003716994.tif 000095
【図８９Ｂ】
0003716994.tif 000096
【図８９Ｃ】
0003716994.tif 000097
【図８９Ｄ】
0003716994.tif 000098
【図８９Ｅ】
0003716994.tif 000099
【図９０】
0003716994.tif 000100
【図９１】
0003716994.tif 000101
【図９２】
0003716994.tif 000102
【図９３】
0003716994.tif 000103
【図９３Ａ】
0003716994.tif 000104
【図９４】
0003716994.tif 000105
【図９５】
0003716994.tif 000106
【図９６】
0003716994.tif 000107
【図９７】
0003716994.tif 000108
【図９８】
0003716994.tif 000109
【図９９】
0003716994.tif 000110
【図１００】
0003716994.tif 000111
【図１０１】
0003716994.tif 000112
【図１０２】
0003716994.tif 000113
【図１０３】
0003716994.tif 000114
【図１０４】
0003716994.tif 000115
【図１０５】
0003716994.tif 000116
【図１０６】
0003716994.tif 000117
【図１０７】
0003716994.tif 000118
【図１０８】
0003716994.tif 000119
【図１０９】
0003716994.tif 000120
【図１１０】
0003716994.tif 000121
【図１１１】
0003716994.tif 000122
【図１１２】
0003716994.tif 000123
【図１１３】
0003716994.tif 000124
【図１１４】
0003716994.tif 000125
【図１１５】
0003716994.tif 000126
【図１１６】
0003716994.tif 000127
【図１１７】
0003716994.tif 000128
【図１１８】
0003716994.tif 000129
【図１１９】
0003716994.tif 000130
【図１２０】
0003716994.tif 000131
【図１２１】
0003716994.tif 000132
【図１２２】
0003716994.tif 000133
【図１２３】
0003716994.tif 000134
【図１２４】
0003716994.tif 000135
【図１２５Ａ】
0003716994.tif 000136
【図１２５Ｂ】
0003716994.tif 000137
【図１２６】
0003716994.tif 000138
【図１２７】
0003716994.tif 000139
【図１２８】
0003716994.tif 000140
【図１２９】
0003716994.tif 000141
【図１３０】
0003716994.tif 000142
【図１３１】
0003716994.tif 000143
【図１３２】
0003716994.tif 000144
【図１３３】
0003716994.tif 000145
【図１３４】
0003716994.tif 000146
【図１３５】
0003716994.tif 000147
【図１３６】
0003716994.tif 000148
【図１３７】
0003716994.tif 000149
【図１３７Ａ】
0003716994.tif 000150
【図１３８】
0003716994.tif 000151
【図１３８Ａ】
0003716994.tif 000152
【図１３８Ｂ】
0003716994.tif 000153
【図１３９】
0003716994.tif 000154
【図１４０】
0003716994.tif 000155
【図１４１】
0003716994.tif 000156
【図１４２】
0003716994.tif 000157
【図１４３】
0003716994.tif 000158
【図１４４】
0003716994.tif 000159
【図１４５】
0003716994.tif 000160
【図１４６】
0003716994.tif 000161
【図１４７】
0003716994.tif 000162
【図１４８】
0003716994.tif 000163
【図１４９】
0003716994.tif 000164
【図１５０】
0003716994.tif 000165
【図１５１】
0003716994.tif 000166
【図１５２】
0003716994.tif 000167
【図１５３】
0003716994.tif 000168
【図１５４】
0003716994.tif 000169
【図１５５】
0003716994.tif 000170
【図１５６】
0003716994.tif 000171
【図１５７】
0003716994.tif 000172
【図１５８】
0003716994.tif 000173
【図１５９】
0003716994.tif 000174
【図１６０】
0003716994.tif 000175
【図１６１】
0003716994.tif 000176
【図１６２】
0003716994.tif 000177
【図１６３】
0003716994.tif 000178
【図１６４】
0003716994.tif 000179
【図１６５】
0003716994.tif 000180
【図１６６】
0003716994.tif 000181
【図１６７】
0003716994.tif 000182
【図１６８】
0003716994.tif 000183
【図１６９】
0003716994.tif 000184
【図１７０】
0003716994.tif 000185
【図１７１】
0003716994.tif 000186
【図１７２】
0003716994.tif 000187